(57)【特許請求の範囲】
【請求項１】
所定の拠点で取得された貨幣を所定の収納容器を用いて管理センタへ収集する貨幣収集システムであって、
前記拠点に所在する利用者により操作される利用者端末と、前記管理センタへ収集される貨幣を管理する管理装置を含み、
前記利用者端末は、
前記収納容器に収納する貨幣の画像を取得する貨幣画像取得手段と、
前記貨幣画像取得手段によって取得された画像に基づいて前記収納容器に収納する貨幣の金種別の枚数を取得する金種別枚数取得手段と、
前記金種別枚数取得手段によって取得された前記収納容器に収納した貨幣の金種別の枚数と該収納容器を一意に特定する識別情報とを対応付けた貨幣収納情報を前記管理装置に通知する収納情報通知手段とを備え、
前記収納情報通知手段は、前記収納容器を施錠することによって取得した該収納容器の識別情報を受け付けて、当該識別情報を含む前記貨幣収納情報を前記管理装置に通知する
ことを特徴とする貨幣収集システム。
【請求項２】
所定の拠点で取得された貨幣を所定の収納容器を用いて管理センタへ収集する貨幣収集システムであって、
前記拠点に所在する利用者により操作される利用者端末と、前記管理センタへ収集される貨幣を管理する管理装置を含み、
前記利用者端末は、
前記収納容器に収納する貨幣の画像を取得する貨幣画像取得手段と、
前記貨幣画像取得手段によって取得された前記貨幣の画像と該収納容器を一意に特定する識別情報とを対応付けた貨幣収納情報を前記管理装置に通知する収納情報通知手段とを備え、
前記収納情報通知手段は、前記収納容器を施錠することによって取得した該収納容器の識別情報を受け付けて、当該識別情報を含む前記貨幣収納情報を前記管理装置に通知する
ことを特徴とする貨幣収集システム。
【請求項３】
前記収納容器は、施錠時に鍵は不要で、解錠時に鍵が必要であることを特徴とする請求項１又は２に記載の貨幣収集システム。
【請求項４】
前記収納容器は、前記貨幣を挿入することによって挿入した前記貨幣の金種を識別すると共に挿入した前記貨幣を内部に収納する貨幣計数部と、該収納容器に収納された貨幣の金額に係る情報を含む貨幣収納情報を記憶する記憶手段とを備え、
前記記憶手段は、前記貨幣計数部が収納した貨幣の金種別の枚数に基づいて前記貨幣収納情報を記憶する
ことを特徴とする請求項１〜３のいずれか一つに記載の貨幣収集システム。
【請求項５】
前記管理装置は、
前記収納容器に収納されていた貨幣の金種別の枚数と、該収納容器に対応する識別情報に対応する前記利用者端末から通知された貨幣収納情報に含まれる貨幣の金種別の枚数とを比較して整合性を判定する整合性判定手段を備え、
前記整合性判定手段は、前記貨幣収納情報に含まれる前記収納容器に収納された前記貨幣の金種別の枚数と、前記管理センタにおいて前記収納容器に収納されていた貨幣を計数した貨幣の金種別の枚数とが等価でない場合に整合性がないと判定することを特徴とする請求項１に記載の貨幣収集システム。
【請求項６】
前記管理装置は、
前記収納容器に収納されていた貨幣と、該収納容器に対応する識別情報に対応する前記利用者端末から通知された貨幣収納情報に含まれる貨幣の画像に含まれる貨幣とを比較して整合性を判定する整合性判定手段を備え、
前記整合性判定手段は、前記貨幣収納情報に含まれる前記収納容器に収納された前記貨幣の価値と、前記管理センタにおいて前記収納容器に収納されていた貨幣を計数した結果に基づく価値とが等価でない場合に整合性がないと判定することを特徴とする請求項２に記載の貨幣収集システム。
【請求項７】
所定の拠点で取得された貨幣を所定の収納容器を用いて管理センタへ収集する貨幣収集方法であって、
前記拠点に所在する利用者により操作される利用者端末が、前記収納容器に収納する貨幣の画像を取得する貨幣画像取得ステップと、
前記利用者端末が、前記貨幣画像取得ステップによって取得された画像に基づいて前記収納容器に収納する貨幣の金種別の枚数を取得する金種別枚数取得ステップと、
前記利用者端末が、前記金種別枚数取得ステップによって取得された前記収納容器に収納した貨幣の金種別の枚数と該収納容器を一意に特定する識別情報とを対応付けた貨幣収納情報を前記管理センタへ収集される貨幣を管理する管理装置に通知する収納情報通知ステップとを含み、
前記収納情報通知ステップは、前記収納容器を施錠することによって取得した該収納容器の識別情報を受け付けて、当該識別情報を含む前記貨幣収納情報を前記管理装置に通知する
ことを特徴とする貨幣収集方法。
【請求項８】
所定の拠点で取得された貨幣を所定の収納容器を用いて管理センタへ収集する貨幣収集方法であって、
前記拠点に所在する利用者により操作される利用者端末が、前記収納容器に収納する貨幣の画像を取得する貨幣画像取得ステップと、
前記利用者端末が、前記貨幣画像取得ステップによって取得された前記貨幣の画像と該収納容器を一意に特定する識別情報とを対応付けた貨幣収納情報を前記管理センタへ収集される貨幣を管理する管理装置に通知する収納情報通知ステップとを含み、
前記収納情報通知ステップは、前記収納容器を施錠することによって取得した該収納容器の識別情報を受け付けて、当該識別情報を含む前記貨幣収納情報を前記管理装置に通知する
ことを特徴とする貨幣収集方法。
【発明の詳細な説明】
【技術分野】
【０００１】
この発明は、貨幣及び商品券等の有価媒体を複数の拠点から収集する貨幣収集システム及び貨幣収集方法に関する。
【背景技術】
【０００２】
店舗に設置される貨幣入出金装置から貨幣の収納された収納カセットを回収することによって売上金の回収を効率化するという技術が知られている。特許文献１には、紙幣入出金装置を用いて、回収すべき売上金を紙幣入出金装置内の収納カセットに収納し、収納カセットに収納した売上金額を現金処理センタのシステムに送信し、該収納カセットを紙幣入出金装置から取り出して、該収納カセットごと回収するようにするという技術が開示されている。この技術を適用することによって、店舗側では売上金を紙幣入出金装置から取り出すという作業、及び取り出した売上金に係る回収伝票を作成するという作業が効率化され、現金処理センタでも基本的に実際に回収した現金が事前に通知された売上金額と不一致となるということが殆どなくなるので現金処理センタ側の業務も効率化することができるのである。
【０００３】
このように、特許文献１に開示された技術を適用することによって、多くの店舗から回収された売上金の回収及び回収した売上金の精査業務全体の効率化を図ることができるのである。
【先行技術文献】
【特許文献】
【０００４】
【特許文献１】特許５２４２２３９号
【発明の概要】
【発明が解決しようとする課題】
【０００５】
しかしながら、貨幣入出金装置を導入するような規模の大きな商業施設ばかりではなく、経費やスペースの問題で貨幣入出金装置を導入できない比較的小規模な店舗では、売上金を回収バッグにつめて回収させる運用がなされており、現金処理センタで取り扱われる件数では、こちらの運用の方が多くなっている。そして、回収バッグで回収された売上金の精査処理は回収伝票を手入力しなければならず、紙幣入出金装置の収納カセットを利用している場合と比較して手間がかかるという問題がある。
【０００６】
この問題について詳しく説明する。回収バッグを利用した運用では、売上金として回収する金額などの情報を記入した回収伝票を店舗で作成し、売上金と併せて回収バッグに入れて回収してもらうこととなる。現金処理センタでは、回収バッグを受け付けると、受け付けた回収伝票の内容を現金処理センタのシステムに入力する必要がある。そのため、回収バッグで売上金の回収を行っている場合には、前記特許文献１で開示されている、紙幣入出金装置の収納カセットを用いて売上金の回収を行い、回収する売上金の情報を紙幣入出金装置から現金処理センタのシステムに直接送信する場合と比較すると、現金処理センタにおいて人によって実施しなければならないプロセスが多くなってしまっているのである。また、人による作業は、ある程度の割合で作業誤りが発生してしまうことから、作業誤りによる効率への影響も小さくない。
【０００７】
このように、売上金を回収してその売上金の精査を業務とする現金処理センタにおいて業務を効率化するためには、取り扱い件数の多い回収バッグで回収する売上金の精査の業務を効率化することが重要な課題となっている。
【０００８】
本発明は、上述した従来技術の課題を解決するためのものであって、店舗から売上金を収集して、収集した売上金額を確認する精査業務の効率化、作業ミスの防止及び低コスト化を実現することのできる貨幣収集システム及び貨幣収集方法を提供することを目的とする。
【課題を解決するための手段】
【０００９】
上述した課題を解決し、目的を達成するため、本発明は、所定の拠点で取得された貨幣を所定の収納容器を用いて管理センタへ収集する貨幣収集システムであって、前記拠点に所在する利用者により操作される利用者端末と、前記管理センタへ収集される貨幣を管理する管理装置を含み、前記利用者端末は、前記収納容器に収納する貨幣の画像を取得する貨幣画像取得手段と、前記貨幣画像取得手段によって取得された画像に基づいて前記収納容器に収納する貨幣の金種別の枚数を取得する金種別枚数取得手段と、前記金種別枚数取得手段によって取得された前記収納容器に収納した貨幣の金種別の枚数と該収納容器を一意に特定する識別情報とを対応付けた貨幣収納情報を前記管理装置に通知する収納情報通知手段とを備え、前記収納情報通知手段は、前記収納容器を施錠することによって取得した該収納容器の識別情報を受け付けて、当該識別情報を含む前記貨幣収納情報を前記管理装置に通知することを特徴とする。
また、本発明は、所定の拠点で取得された貨幣を所定の収納容器を用いて管理センタへ収集する貨幣収集システムであって、前記拠点に所在する利用者により操作される利用者端末と、前記管理センタへ収集される貨幣を管理する管理装置を含み、前記利用者端末は、前記収納容器に収納する貨幣の画像を取得する貨幣画像取得手段と、前記貨幣画像取得手段によって取得された前記貨幣の画像と該収納容器を一意に特定する識別情報とを対応付けた貨幣収納情報を前記管理装置に通知する収納情報通知手段とを備え、前記収納情報通知手段は、前記収納容器を施錠することによって取得した該収納容器の識別情報を受け付けて、当該識別情報を含む前記貨幣収納情報を前記管理装置に通知することを特徴とする。
【００１０】
また、本発明は、上記発明において、前記収納容器は、施錠時に鍵は不要で、解錠時に鍵が必要であることを特徴とする。
【００１１】
また、本発明は、上記発明において、前記利用者端末は、前記収納容器に収納する貨幣の画像を取得する貨幣画像取得手段と、前記貨幣画像取得手段によって取得した画像に基づいて前記収納容器に収納する貨幣の金種別の枚数を取得する金種別枚数取得手段とをさらに備え、前記収納情報通知手段は、前記金種別枚数取得手段によって取得した前記収納容器に収納する貨幣の金種別の枚数に基づいて前記貨幣収納情報を通知することを特徴とする。
【００１２】
また、本発明は、上記発明において、前記利用者端末は、前記収納容器に収納する貨幣の画像を取得する貨幣画像取得手段をさらに備え、前記収納情報通知手段は、前記貨幣画像取得手段によって取得した前記貨幣の画像を通知することを特徴とする。
【００１４】
また、本発明は、上記発明において、前記収納容器は、前記貨幣を挿入することによって挿入した前記貨幣の金種を識別すると共に挿入した前記貨幣を内部に収納する貨幣計数部と、該収納容器に収納された貨幣の金額に係る情報を含む貨幣収納情報を記憶する記憶手段とを備え、前記記憶手段は、前記貨幣計数部が収納した貨幣の金種別の枚数に基づいて前記貨幣収納情報を記憶することを特徴とする。
【００１５】
また、本発明は、上記発明において、前記管理装置は、前記収納容器に収納されていた貨幣の金種別の枚数と、該収納容器に対応する識別情報に対応する前記利用者端末から通知された貨幣収納情報に含まれる貨幣の金種別の枚数とを比較して整合性を判定する整合性判定手段を備え、前記整合性判定手段は、前記貨幣収納情報に含まれる前記収納容器に収納された前記貨幣の金種別の枚数と、前記管理センタにおいて前記収納容器に収納されていた貨幣を計数した貨幣の金種別の枚数とが等価でない場合に整合性がないと判定することを特徴とする。
また、本発明は、上記発明において、前記管理装置は、前記収納容器に収納されていた貨幣と、該収納容器に対応する識別情報に対応する前記利用者端末から通知された貨幣収納情報に含まれる貨幣の画像に含まれる貨幣とを比較して整合性を判定する整合性判定手段を備え、前記整合性判定手段は、前記貨幣収納情報に含まれる前記収納容器に収納された前記貨幣の価値と、前記管理センタにおいて前記収納容器に収納されていた貨幣を計数した結果に基づく価値とが等価でない場合に整合性がないと判定することを特徴とする。
【００１６】
また、本発明は、所定の拠点で取得された貨幣を所定の収納容器を用いて管理センタへ収集する貨幣収集方法であって、前記拠点に所在する利用者により操作される利用者端末が、前記収納容器に収納する貨幣の画像を取得する貨幣画像取得ステップと、前記利用者端末が、前記貨幣画像取得ステップによって取得された画像に基づいて前記収納容器に収納する貨幣の金種別の枚数を取得する金種別枚数取得ステップと、前記利用者端末が、前記金種別枚数取得ステップによって取得された前記収納容器に収納した貨幣の金種別の枚数と該収納容器を一意に特定する識別情報とを対応付けた貨幣収納情報を前記管理センタへ収集される貨幣を管理する管理装置に通知する収納情報通知ステップとを含み、前記収納情報通知ステップは、前記収納容器を施錠することによって取得した該収納容器の識別情報を受け付けて、当該識別情報を含む前記貨幣収納情報を前記管理装置に通知することを特徴とする。
また、本発明は、所定の拠点で取得された貨幣を所定の収納容器を用いて管理センタへ収集する貨幣収集方法であって、前記拠点に所在する利用者により操作される利用者端末が、前記収納容器に収納する貨幣の画像を取得する貨幣画像取得ステップと、前記利用者端末が、前記貨幣画像取得ステップによって取得された前記貨幣の画像と該収納容器を一意に特定する識別情報とを対応付けた貨幣収納情報を前記管理センタへ収集される貨幣を管理する管理装置に通知する収納情報通知ステップとを含み、前記収納情報通知ステップは、前記収納容器を施錠することによって取得した該収納容器の識別情報を受け付けて、当該識別情報を含む前記貨幣収納情報を前記管理装置に通知することを特徴とする。
【発明の効果】
【００１８】
本発明によれば、店舗から売上金を収集して、収集した売上金額を確認する精査業務の効率化、作業ミスの防止及び低コスト化を実現することができる。
【図面の簡単な説明】
【００１９】
【図１】図１は、貨幣入出金処理装置を導入していない店舗からの売上金の回収及び回収した売上金の精査に係る処理の概要を説明するための説明図である。
【図２】図２は、実施例１に係る売上金の回収に使用する回収バッグの外観構成を示す図である。
【図３】図３は、実施例１に係る売上回収システムのシステム構成図である。
【図４】図４は、図３に示したスマートフォンの実施例１に係る売上金額の登録時に使用する画面の構成を示す図である。
【図５】図５は、図３に示した中継センタに設置される中継サーバの内部構成を示すブロック図である。
【図６】図６は、図３に示した精査センタに設置される精査センタサーバの実施例１に係る内部構成を示すブロック図である。
【図７】図７は、図６に示した精査センタサーバの記憶部のデータの構成を示す図である。
【図８】図８は、図４に示した画面を使用したスマートフォンにおける実施例１に係る売上金額の登録処理の処理手順を示すフローチャートである。
【図９】図９は、図３に示した精査センタサーバによる、実施例１に係る回収バッグによる売上金の回収に伴う精査処理の処理手順を示すフローチャート（その１）である。
【図１０】図１０は、図３に示した精査センタサーバによる、実施例１に係る回収バッグによる売上金の回収に伴う精査処理の処理手順を示すフローチャート（その２）である。
【図１１】図１１は、実施例２に係る売上金の回収に使用する回収バッグの外観構成を示す図である。
【図１２】図１２は、図１１に示した回収バッグの内部構成を示すブロック図である。
【図１３】図１３は、図１２に示した回収バッグの記憶部のデータの構成を示す図である。
【図１４】図１４は、精査センタに設置される精査センタサーバの実施例２に係る内部構成を示すブロック図である。
【図１５】図１５は、受付ＰＣにおける回収バッグを受け付けたときの実施例２に係る処理の処理手順を示すフローチャートである。
【図１６】図１６は、受付ＰＣにおいて回収バッグを受け付けたときの精査センタサーバの処理の処理手順を示すフローチャートである。
【図１７】図１７は、実施例３に係る簡易な貨幣計数装置を導入している店舗における売上金額の精査センタへの通知処理の概要を説明するための図である。
【図１８】図１８は、図１７に示した小型硬貨計数機の外観構成を説明するための図である。
【図１９】図１９は、図１７に示したハンディ紙幣計数機の外観構成を説明するための図である。
【図２０】図２０は、実施例３に係る店舗から行われる売上金額の登録処理におけるスマートフォンの画面構成を説明するための図である。
【図２１】図２１は、図２０に示した画面を使用したスマートフォンにおける実施例３に係る売上金額の登録処理の処理手順を示すフローチャートである。
【発明を実施するための形態】
【００２０】
以下に、添付図面を参照して、本発明に係る貨幣収集システム及び貨幣収集方法の好適な実施例を詳細に説明する。
【実施例１】
【００２１】
まず、貨幣入出金処理装置を導入していない店舗からの売上金の回収及び回収した売上金の精査に係る処理の概要を、図１を用いて説明する。
【００２２】
まず、図１の上半分の図面を用いて売上金を回収して、精査センタで売上金の精査を行う従来の処理の概要を説明する。契約店舗では、回収対象の売上金である紙幣及び硬貨をレジから取り出して、回収対象の紙幣及び硬貨の金額等を書き込んだ回収伝票と伴に、回収バッグ２０ａに収めて施錠する。警送会社は、店舗ごとのスケジュールに従って店舗から売上金及び回収伝票の入った回収バッグ２０ａを収集して、精査センタに持ち込む。
【００２３】
精査センタでは、持ち込まれた回収バッグ２０ａを解錠して、売上金及び回収伝票を取り出し、取り出した回収伝票に記載された売上金額を、受付ＰＣ５０ａを用いて精査センタサーバ４０ａへの登録を行う。また、回収バッグ２０ａから取り出した売上金の内、紙幣は紙幣処理機８０で計数させ、この計数結果を紙幣ＰＣ６０を用いて精査センタサーバ４０ａに登録を行う。また、回収バッグ２０ａから取り出した売上金の内、硬貨は硬貨処理機９０で計数させ、この計数結果を硬貨ＰＣ７０を用いて精査センタサーバ４０ａに登録を行う。図１には図示しないが、汚損等が原因となって紙幣処理機８０若しくは硬貨処理機９０でリジェクトされた貨幣については、マニュアル（目視確認等）で真偽確認及び計数を行って、精査センタサーバ４０ａにその情報を登録する。
【００２４】
精査センタサーバ４０ａは、回収伝票に基づいて入力された売上金額と紙幣の計数結果と硬貨の計数結果との整合性を確認することによって精査を行う。このように、精査センタサーバ４０ａで整合性を確認して、不整合が発生した場合には、対応する店舗への問い合わせなども含む個別の対応を行う。
【００２５】
次に、図１の下半分の図面を用いて売上金を回収して、精査センタで売上金の精査を行う本発明に係る処理の概要を説明する。契約店舗では、回収対象の売上金である紙幣及び硬貨をレジから取り出して、回収伝票に書き込む代わりにスマートフォン１０のＷｅｂブラウザを利用して回収対象の紙幣及び硬貨の金額等を入力する。その後、回収対象の売上金を回収バッグ２０に収めて施錠する。回収バッグ２０は、施錠することによって回収バッグ２０の識別情報を見ることができる状態になる。スマートフォン１０のＷｅｂブラウザを利用してこの回収バッグ２０の識別情報も併せて入力して送信指示をすることによって、中継センタの中継サーバ３０を経由して、回収対象の紙幣及び硬貨の金額と回収バッグ２０の識別情報を精査センタの精査センタサーバ４０に送信する。スマートフォン１０のＷｅｂブラウザで入力された回収対象の紙幣金額及び硬貨金額と、回収バッグ２０の識別情報とを受け付けた精査センタサーバ４０は、回収バッグ２０の識別情報に関連付けて回収対象の紙幣金額及び硬貨金額を記憶する。
【００２６】
警送会社は、店舗ごとのスケジュールに従って店舗から売上金の入った回収バッグ２０を収集して、精査センタに持ち込む。精査センタでは、持ち込まれた回収バッグ２０を解錠して、取り出した売上金の内、紙幣は紙幣処理機８０で計数させ、紙幣ＰＣ６０を用いて、計数結果を回収バッグ２０の識別情報に関連付けて精査センタサーバ４０に登録する。また、回収バッグ２０から取り出した売上金の内、硬貨は硬貨処理機９０で計数させ、硬貨ＰＣ７０を用いて、計数結果を回収バッグ２０の識別情報に関連付けて精査センタサーバ４０に登録する。図１には図示しないが、紙幣処理機８０若しくは硬貨処理機９０でリジェクトされた場合には、リジェクト分に関してはマニュアルで真偽確認及び計数を行って、精査センタサーバ４０にその情報を登録する。
【００２７】
精査センタサーバ４０は、スマートフォン１０から登録された売上金額と紙幣の計数結果と硬貨の計数結果との整合性を確認することによって精査を行う。このように、本発明を適用した図１の下半分の図面で示したように、精査センタサーバ４０は、店舗においてスマートフォン１０を用いて入力した回収対象の売上金額及び回収バッグ２０の識別情報を通信を介して受け付けて、回収バッグ２０の識別情報に関連付けて回収対象の売上金額を記憶し、紙幣処理機８０などで計数した回収された紙幣額を回収バッグ２０の識別情報に関連付けて記憶して、硬貨処理機９０などで計数した回収された硬貨額を回収バッグ２０の識別情報に関連付けて記憶して、回収バッグ２０の識別情報で関連付けられた売上金額と紙幣計数金額と硬貨計数金額との整合性を確認するようにしたので、店舗から売上金を収集して、収集した売上金額を確認する精査業務の効率化、作業ミスの防止及び低コスト化を実現することができる。
【００２８】
次に、実施例１に係る売上金の回収に使用する回収バッグ２０の外観構成を、図２を用いて説明する。
【００２９】
図２（ａ）は、回収バッグ２０の全体の斜視図である。回収バッグ２０は、点線の楕円で囲んだあたりに、バックル２１、ロックレバー２２及び鍵穴２３を有している。バッグを閉じた状態で図２（ｂ）に示すようにバックル２１を矢印が示す方向に倒して、図２（ｃ）に示すようにロックレバー２２を矢印が示す方向に動かすことによって施錠がされる。また、図２（ｃ）に示すようにロックレバー２２をバックル２１の側に動かして施錠した状態にしたならば、図２（ｄ）に示すようにバッグ固有番号２６が見える状態になる。このように、回収バッグ２０を施錠するためには鍵を必要としない。また、解錠するためには鍵が必要で、鍵を鍵穴２３に挿入して回動することによって解錠することができる。
【００３０】
また、回収バッグ２０の側面には、回収バッグ２０の識別番号に対応するバッグ識別バーコード２４が貼り付けられている。回収バッグ２０の識別番号は、回収バッグ２０を識別することのできるユニークな番号である。また、バッグ固有番号２６も回収バッグ２０を識別することのできるユニークな番号であり、回収バッグ２０の識別番号に１対１で対応する。
【００３１】
また、回収バッグ２０の側面には、店舗名表示シート２７を入れることのできるポケット部２５を有している。店舗名表示シート２７は、別の店舗名表示シート２７に入れ替えることが可能であり、回収バッグ２０は、店舗ごとに専用のものである必要はない。また店舗名表示シート２７には、人が見て認識できるように店舗名などの文字情報と、店舗を識別する店舗識別バーコード２７ａとが印刷されている。
【００３２】
精査センタから回収バッグ２０を店舗に配布するときには、回収バッグ２０の側面のバッグ識別バーコード２４と店舗識別バーコード２７ａを読み取っておくことによって、店舗と回収バッグ２０との関連付けを行う。
【００３３】
次に、実施例１に係る売上回収システムのシステム構成を説明する。図３は、実施例１に係る売上回収システムのシステム構成図である。図３に示すように、複数の契約店舗に対応するスマートフォン１０と中継センタの中継サーバ３０と、精査センタの精査センタサーバ４０は、インタネットなどの通信網を介して接続される。
【００３４】
契約店舗に対応するスマートフォン１０は、本システム専用の装置ではなく汎用品であり、Ｗｅｂブラウザを使用することができればよいので、タブレットＰＣでもパソコンでも代用することが可能である。スマートフォン１０は、中継センタの中継サーバ３０の提供するＷｅｂページにアクセスすることによって、売上金額入力用の画面を表示して、該画面で売上金額の情報、回収バッグ２０の識別情報、及び売上金に係わる情報とは別の釣銭のオーダーなどの情報を入力することができる。また、店舗や担当者を特定する情報が登録される。
【００３５】
中継センタの中継サーバ３０は、スマートフォン１０で入力された売上金額の情報、回収バッグ２０の識別情報、及び売上金に係わる情報とは別の釣銭のオーダーなどの情報を受け付けて、受け付けた内容を自装置内に履歴として記憶するとともに、受け付けた内容を精査センタの精査センタサーバ４０に送信する。また、中継サーバ３０は、自装置内に蓄積した履歴情報に基づいて売上や釣銭オーダーなどに係る集計結果を出力することができる。
【００３６】
精査センタには、通信網を介して中継センタの中継サーバ３０と接続される精査センタサーバ４０以外に、受付ＰＣ５０、紙幣ＰＣ６０、硬貨ＰＣ７０、紙幣処理機８０及び硬貨処理機９０が配置される。受付ＰＣ５０、紙幣ＰＣ６０、硬貨ＰＣ７０、紙幣処理機８０及び硬貨処理機９０は、図面上では１台ずつであるが、取扱う店舗の規模や店舗数に応じてそれぞれ複数台設置されることが多い。また、精査センタサーバ４０は、ＬＡＮなどの通信線を介して受付ＰＣ５０、紙幣ＰＣ６０及び硬貨ＰＣ７０と接続される。
【００３７】
また、受付ＰＣ５０、紙幣ＰＣ６０及び硬貨ＰＣ７０は、汎用的なＷｅｂブラウザが使用可能なパソコンであり、精査センタ内における役割分担によって分けているものの内部構成は同じである。受付ＰＣ５０、紙幣ＰＣ６０及び硬貨ＰＣ７０は、精査センタサーバ４０の提供するページにＷｅｂブラウザでアクセスして、情報を入力することによって機能を実現する。また、受付ＰＣ５０は、紙幣ＰＣ６０及び硬貨ＰＣ７０はバーコードを読み取るためのバーコードリーダ５１、６１、７１が接続されている。
【００３８】
受付ＰＣ５０は、回収バッグ２０を店舗に配布する時には、回収バッグ２０のバッグ識別バーコード２４と、ポケット部２５に入れた店舗名表示シート２７に印刷された店舗識別バーコード２７ａとをバーコードリーダ５１で読み取って、回収バッグ２０と回収バッグ２０を配布する店舗との関連付けを登録するとともに、回収バッグ２０の状態を店舗へ配布済みの状態として管理する。また、受付ＰＣ５０は、店舗から回収された回収バッグ２０のバッグ識別バーコード２４をバーコードリーダ５１で読み取って、回収バッグ２０の状態を店舗からの回収済の状態として管理する。
【００３９】
また、受付ＰＣ５０は、回収バッグ２０によって回収された紙幣及び硬貨を取り出して、図示しない紙幣収納ボックス又は硬貨収納ボックスに入れて、紙幣収納ボックスのバーコードから紙幣収納ボックスの識別情報を読み取り、硬貨収納ボックスのバーコードから硬貨収納ボックスの識別情報を読み取って、紙幣収納ボックス及び硬貨収納ボックスと回収バッグ２０との関連付けを登録する。回収バッグ２０で商品券も回収される場合には、回収バッグ２０の受付時に商品券は紙幣収納ボックスに収納され、マニュアルで計数されることとなる。
【００４０】
また、受付ＰＣ５０では、スマートフォン１０から入力された売上の情報と、回収バッグ２０から取り出した紙幣及び硬貨を計数した結果が不整合となっている店舗の一覧の出力の指示を行うことによって、画面上に不整合が発生して未処理の店舗の一覧の表示を行うことができる。また、該一覧に表示された店舗からの回収金額の不整合に関する店舗への問い合わせなどによる人間系の対応が終了したものについては、受付ＰＣ５０から対応済である旨の入力が可能で、これによって不整合が発生して未処理の店舗の一覧の対象から除外することが可能である。
【００４１】
紙幣ＰＣ６０は、紙幣収納ボックスに収納されていた紙幣を紙幣処理機８０で計数させた計数結果の入力を受け付けて、受け付けた計数結果をバーコードリーダ６１で読み取った紙幣収納ボックスの識別情報に関連付けて、精査センタサーバ４０に登録を行う。また、紙幣ＰＣ６０は、紙幣処理機８０でリジェクトされた紙幣がある場合には、リジェクトされた紙幣があった旨を併せて精査センタサーバ４０に一旦登録する。さらに、リジェクトされた紙幣は、マニュアルで計数され、紙幣ＰＣ６０によって紙幣収納ボックスの識別情報に関連付けてマニュアルで計数された結果を精査センタサーバ４０に登録される。回収バッグ２０で商品券が回収された場合には、リジェクトされた紙幣と同様の扱いとなりマニュアルで計数が行われることになる。
【００４２】
硬貨ＰＣ７０は、硬貨収納ボックスに収納されていた硬貨を硬貨処理機９０で計数させた計数結果の入力を受け付けて、受け付けた計数結果をバーコードリーダ７１で読み取った硬貨収納ボックスの識別情報に関連付けて、精査センタサーバ４０に登録を行う。また、硬貨ＰＣ７０は、硬貨処理機９０でリジェクトされた硬貨がある場合には、リジェクトされた硬貨があった旨を併せて精査センタサーバ４０に一旦登録する。さらに、リジェクトされた硬貨は、マニュアルで計数され、硬貨ＰＣ７０によって硬貨収納ボックスの識別情報に関連付けてマニュアルで計数された結果を精査センタサーバ４０に登録される。
【００４３】
精査センタサーバ４０は、契約している顧客の情報、精査センタで管理しているバッグの状態、店舗からスマートフォン１０で登録された店舗の売上の情報、回収バッグ２０で実際に回収された売上金の情報及び店舗からの釣銭オーダーなどの情報を管理するサーバである。
【００４４】
また、精査センタサーバ４０は、受付ＰＣ５０からの回収バッグ２０の識別番号、顧客番号などを含むバッグ配布通知を受け付けると、受け付けた識別番号に対応する回収バッグ２０の状態を配布済を示す状態として管理し、回収バッグ２０の識別番号と顧客番号との対応付けを記憶する。
【００４５】
また、精査センタサーバ４０は、中継サーバ３０を経由して店舗のスマートフォン１０で入力された、回収バッグ２０のバッグ固有番号２６及び回収される売上金の情報などを含む回収通知を受け付けたならば、バッグ固有番号２６から回収バッグ２０の識別番号を特定して、回収バッグ２０の識別番号に関連付けて受け付けた売上金の情報等を登録するとともに、受け付けた識別番号に対応する回収バッグ２０の状態を回収中を示す状態として管理する。
【００４６】
また、精査センタサーバ４０は、受付ＰＣ５０から回収バッグ２０の識別番号、回収バッグ２０から取り出した紙幣を収納した紙幣収納ボックスの識別情報、及び回収バッグ２０から取り出した硬貨を収納した硬貨収納ボックスの識別情報などを含むバッグ回収受付通知を受け付けたならば、回収バッグ２０の識別番号と、紙幣収納ボックスの識別情報及び硬貨収納ボックスの識別情報との対応付けとを登録し、受け付けた識別番号に対応する回収バッグ２０の状態を回収済を示す状態として管理する。
【００４７】
また、精査センタサーバ４０は、紙幣ＰＣ６０から紙幣収納ボックスの識別情報、紙幣処理機８０での計数結果及びリジェクトの有無などの情報を含む紙幣機械計数通知を受け付けたならば、紙幣収納ボックスの識別情報に対応付けられた回収バッグ２０の識別番号に関連付けて、紙幣処理機８０での計数結果及びリジェクトの有無の情報の登録を行う。また、精査センタサーバ４０は、紙幣ＰＣ６０から紙幣収納ボックスの識別情報及びマニュアルで紙幣を計数した結果などの情報を含むマニュアル紙幣計数通知を受け付けたならば、紙幣収納ボックスの識別情報に対応付けられた回収バッグ２０の識別番号に関連付けて、マニュアルで紙幣を計数した結果の登録を行う。
【００４８】
また、精査センタサーバ４０は、硬貨ＰＣ７０から硬貨収納ボックスの識別情報、硬貨処理機９０での計数結果及びリジェクトの有無などの情報を含む硬貨機械計数通知を受け付けたならば、硬貨収納ボックスの識別情報に対応付けられた回収バッグ２０の識別番号に関連付けて、硬貨処理機９０での計数結果及びリジェクトの有無の情報の登録を行う。また、精査センタサーバ４０は、硬貨ＰＣ７０から硬貨収納ボックスの識別情報及びマニュアルで硬貨を計数した結果などの情報を含むマニュアル硬貨計数通知を受け付けたならば、硬貨収納ボックスの識別情報に対応付けられた回収バッグ２０の識別番号に関連付けて、マニュアルで硬貨を計数した結果の登録を行う。
【００４９】
また、精査センタサーバ４０は、紙幣ＰＣ６０から受けた紙幣機械計数通知又はマニュアル紙幣計数通知、又は硬貨ＰＣ７０から受けた硬貨機械計数通知又はマニュアル硬貨計数通知で受けた結果を登録後に、店舗においてスマートフォン１０で入力された売上情報と、回収バッグ２０から取り出した紙幣及び硬貨を計数した結果の整合性のチェックを行い、双方が一致する場合には回収バッグ２０の識別番号に対する精査の状態を精査済を示す状態に変更する。また、スマートフォン１０で入力された売上情報と、回収バッグ２０から取り出した紙幣及び硬貨を計数した結果が一致しない場合には、回収バッグ２０の識別番号に対する精査の状態を確認が必要であることを示す状態に変更する。
【００５０】
また、精査センタサーバ４０は、回収バッグ２０の識別番号に対する精査の状態が確認が必要であることを示す状態である一覧の照会要求である精査一覧要求を受け付けたならば、回収バッグ２０の識別番号に対する精査の状態が確認が必要であることを示す状態である回収バッグ２０の識別番号とそれに関連付けられた情報の一覧を出力する。また、精査センタサーバ４０は、回収バッグ２０の識別番号に対する精査の状態の更新要求を受け付けたならば、受け付けた指示に従って状態の更新を行うことも可能である。
【００５１】
次に、図３に示したスマートフォン１０の実施例１に係る売上金額の登録時に使用する画面の構成を、図４を用いて説明する。図４（ａ）、図４（ｂ）及び図４（ｃ）は、スマートフォン１０のタッチ式の画面である表示操作部１１に表示される画面の例である。
【００５２】
図４（ａ）は、売上金の回収内容及び併せて入力することの可能な釣銭オーダーの情報を入力するための画面である。図４（ａ）に示す回収日は自動で表示される。図４（ａ）の四角で囲われた項目は、入力することが可能な項目であること表しており、売上金を回収バッグ２０に収納した担当者名、回収する現金の合計金額、商品券などの現金以外の合計金額、釣銭のオーダーの内容及び回収バッグ２０を施錠した状態で見ることのできるバッグ固有番号２６を入力することができる。
【００５３】
図４（ａ）の回収する現金の合計金額及び現金以外の合計金額については、図４（ａ）の画面上の「明細入力」ボタンを押下することによって図４（ｂ）の画面を表示させて、図４（ｂ）で回収する現金の金種ごとの明細及び商品券などの現金以外の有価媒体の枚数と金額を入力することによって、図４（ｂ）に入力された内容に基づいて計算された情報を自動で入力することも可能である。図４（ｂ）に示す四角で囲われた項目は、入力することが可能な項目であること表しており、現金に関しては金種ごとの枚数が入力されたならば、金種ごとの金額と金種ごとの金額の合計金額とを算出して表示する。また、図４（ｂ）の「戻る」ボタンを押下されたならば、現金の合計金額及び商品券などの合計金額を図４（ａ）の現金合計金額の欄及び現金以外合計金額の欄に自動で反映する。
【００５４】
また、図４（ａ）の画面に表示される「写真撮像」ボタンが押下された場合には、図４（ｃ）に示す画面に遷移する。図４（ｃ）の画面は、スマートフォン１０に内蔵されているカメラの入力画像が表示された状態を示している。売上金の回収の担当者は、売上金として回収する紙幣を並べて、図４（ｃ）に示すように並べた紙幣が画面に収まるようにした状態で、図４（ｃ）の画面に表示される「撮像」ボタンを押下することによって紙幣の画像の取得を行う。紙幣枚数が多い場合には、複数回「撮像」ボタンを押下することによって、複数枚の紙幣画像を取得することができる。また、撮像した紙幣画像を確認する場合には、図４（ｃ）の画面に表示される「確認」ボタンを押下することによって、撮像済みの紙幣画像を表示することによって確認することが可能である。
【００５５】
回収しようとする全ての紙幣に対する画像の取得が終了したならば、図４（ｃ）の画面に表示される「終了」ボタンを押下することによって、撮像された紙幣画像を中継サーバ３０に送信して、図４（ａ）の画面に戻る。図４（ｃ）の画面から図４（ａ）の画面に戻ると、図４（ａ）の現金合計金額には、中継サーバ３０に送信した紙幣画像に基づいて認識された紙幣の金種別の枚数が反映された値に更新される。また、図４（ｃ）で撮像した紙幣画像に基づいて認識された紙幣の金種別の枚数は、図４（ｂ）の紙幣の金種別の枚数の項目にも反映されることになる。
【００５６】
図４（ａ）の画面で、項目への入力及び写真撮像が終了して、画面下部に配置される「送信」ボタンが押下された場合には、図４（ｂ）で入力された内容、及び図４（ｃ）で取得した画像に基づいて認識された紙幣の金種別の枚数の反映された図４（ａ）に表示された内容を中継サーバ３０に送信する。
【００５７】
現金合計金額及び現金以外合計金額は、図４（ａ）の画面に直接入力することも、図４（ｂ）で明細を入力することによって自動で入力することも可能と説明したが、図４（ａ）の画面に直接入力を不可として、図４（ｂ）による明細入力か、図４（ｃ）による紙幣画像の認識による入力しかできないものとしてもよい。また、写真撮像に関しては、顧客ごとに使用可否の設定を可能としてもよい。
【００５８】
また、中継サーバ３０において、図４（ｃ）で撮像した紙幣画像に基づいて紙幣の金種ごとの枚数を認識し、これに基づいて回収する金額の入力を行うことができることとしたが、紙幣画像の認識は中継サーバ３０では行わず、紙幣画像のデータを精査センタサーバ４０に送信するのみとして、不整合検知した場合の確認用の情報として扱ってもよい。
【００５９】
次に、図３に示した中継センタに設置される中継サーバ３０の内部構成を説明する。図５は、中継センタに設置される中継サーバ３０の内部構成を示すブロック図である。図５に示すように、中継サーバ３０は、入力部３１及び表示部３２と接続される。入力部３１は、キーボードやマウス等であり、表示部３２は、液晶パネルなどのディスプレイ装置である。
【００６０】
また、中継サーバ３０は、通信部３３と、記憶部３４と、制御部３５とを有する。通信部３３は、インタネットなどの通信網を介して店舗で使用するスマートフォン１０及び精査センタの精査センタサーバ４０とデータ通信するためのインタフェース部である。
【００６１】
記憶部３４は、ハードディスク装置や不揮発性メモリ等の記憶デバイスであり、回収履歴データ３４ａを有する。回収履歴データ３４ａは、店舗においてスマートフォン１０の図４に示した画面で入力されて、中継サーバ３０に送信された内容を蓄積したデータである。
【００６２】
制御部３５は、中継サーバ３０の全体を制御する制御部であり、回収情報管理部３５ａ、回収履歴照会部３５ｂ及び紙幣認識処理部３５ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６３】
回収情報管理部３５ａは、店舗においてスマートフォン１０の図４に示した画面で入力された情報を受け付けたならば、受け付けた情報を回収履歴データ３４ａに登録するとともに、精査センタの精査センタサーバ４０に転送する。回収履歴照会部３５ｂは、過去にスマートフォン１０から受け付けた売上金の回収に係る情報である回収履歴データ３４ａに基づいて各種照会の要求に応じた照会結果を出力する。
【００６４】
紙幣認識処理部３５ｃは、スマートフォン１０から送信されてきた紙幣画像データに写っている紙幣の金種別の枚数を認識して、スマートフォン１０で表示する図４（ａ）又は図４（ｂ）に表示される画面の表示内容に反映する。
【００６５】
次に、図３に示した精査センタに設置される精査センタサーバ４０の実施例１に係る内部構成を説明する。図６は、精査センタに設置される精査センタサーバ４０の実施例１に係る内部構成を示すブロック図である。図６に示すように、精査センタサーバ４０は、入力部４１及び表示部４２と接続される。入力部４１は、キーボードやマウス等であり、表示部４２は、液晶パネルなどのディスプレイ装置である。
【００６６】
また、精査センタサーバ４０は、通信部４３と、記憶部４４と、制御部４５とを有する。通信部４３は、インタネットなどの通信網を介して中継センタの中継サーバ３０店とデータ通信するためのインタフェース部であり、ＬＡＮなどの通信線を介して精査センタ内の受付ＰＣ５０、紙幣ＰＣ６０及び硬貨ＰＣ７０とデータ通信するためのインタフェース部である。
【００６７】
記憶部４４は、ハードディスク装置や不揮発性メモリ等の記憶デバイスであり、顧客データ４４ａ、バッグ状態データ４４ｂ、回収金額精査データ４４ｃ、ボックスデータ４４ｄ及び釣銭オーダーデータ４４ｅを有する。
【００６８】
顧客データ４４ａは、当該精査センタと売上金の回収のサービスの契約をしている全顧客の情報を含むデータである。バッグ状態データ４４ｂは、当該精査センタで売上金の回収に使用する図２に示した回収バッグ２０の個々の状態を管理するデータである。
【００６９】
回収金額精査データ４４ｃは、契約している店舗から回収バッグ２０によって回収してきた売上金の情報を管理するデータである。回収金額精査データ４４ｃは、回収バッグ２０の識別番号に関連付けてスマートフォン１０で入力された売上に係る情報や紙幣の画像情報と、紙幣ＰＣ６０及び硬貨ＰＣ７０などで入力された回収バッグ２０で回収された紙幣や硬貨を計数した結果の情報とを有している。
【００７０】
ボックスデータ４４ｄは、回収バッグ２０から取り出した紙幣を収納する紙幣収納ボックスの識別情報、若しくは回収バッグ２０から取り出した硬貨を収納する硬貨収納ボックスの識別情報と、回収バッグ２０の識別番号との対応付けを記憶するデータである。釣銭オーダーデータ４４ｅは、店舗においてスマートフォン１０で入力された釣銭オーダーの内容と、該オーダーの処置状況を管理するデータである。
【００７１】
制御部４５は、精査センタサーバ４０の全体を制御する制御部であり、回収バッグ管理部４５ａ、回収情報受付部４５ｂ、紙幣計数結果受付部４５ｃ、硬貨計数結果受付部４５ｄ及び精査処理部４５ｅを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００７２】
回収バッグ管理部４５ａは、受付ＰＣ５０からの回収バッグ２０の識別番号、顧客番号などを含むバッグ配布通知を受け付けると、バッグ状態データ４４ｂの有する受け付けた識別番号に対応する回収バッグ２０の状態を配布済を示す状態に変更し、受け付けた識別番号と顧客番号との対応付けを記憶する。また、回収バッグ管理部４５ａは、受付ＰＣ５０から回収バッグ２０の識別番号、回収バッグ２０から取り出した紙幣を収納した紙幣収納ボックスの識別情報、及び回収バッグ２０から取り出した硬貨を収納した硬貨収納ボックスの識別情報などを含むバッグ回収受付通知を受け付けたならば、ボックスデータ４４ｄに回収バッグ２０の識別番号と、紙幣収納ボックスの識別情報及び硬貨収納ボックスの識別情報との対応付けとを登録し、バッグ状態データ４４ｂの受け付けた識別番号に対応する回収バッグ２０の状態を回収済を示す状態に変更する。
【００７３】
回収情報受付部４５ｂは、中継サーバ３０を経由して店舗のスマートフォン１０で入力された、回収バッグ２０のバッグ固有番号２６及び回収される売上金の情報などを含む回収通知を受け付けたならば、バッグ状態データ４４ｂを参照してバッグ固有番号２６から回収バッグ２０の識別番号を特定して、回収金額精査データ４４ｃの回収バッグ２０の識別番号に関連付けて受け付けた売上金の情報を登録するとともに、バッグ状態データ４４ｂの受け付けた識別番号に対応する回収バッグ２０の状態を回収中を示す状態に変更する。
【００７４】
紙幣計数結果受付部４５ｃは、紙幣ＰＣ６０から紙幣収納ボックスの識別情報、紙幣処理機８０での計数結果及びリジェクトの有無などの情報を含む紙幣機械計数通知を受け付けたならば、ボックスデータ４４ｄを参照して紙幣収納ボックスの識別情報に対応付けられた回収バッグ２０の識別番号を特定して、特定した回収バッグ２０の識別番号に関連付けられた回収金額精査データ４４ｃの情報に紙幣処理機８０での計数結果及びリジェクトの有無の情報の登録を行う。また、紙幣計数結果受付部４５ｃは、紙幣ＰＣ６０から紙幣収納ボックスの識別情報及びマニュアルで紙幣を計数した結果などの情報を含むマニュアル紙幣計数通知を受け付けたならば、ボックスデータ４４ｄを参照して紙幣収納ボックスの識別情報に対応付けられた回収バッグ２０の識別番号を特定して、特定した回収バッグ２０の識別番号に関連付けられた回収金額精査データ４４ｃの情報にマニュアルで紙幣を計数した結果の登録を行う。
【００７５】
硬貨計数結果受付部４５ｄは、硬貨ＰＣ７０から硬貨収納ボックスの識別情報、硬貨処理機９０での計数結果及びリジェクトの有無などの情報を含む硬貨機械計数通知を受け付けたならば、ボックスデータ４４ｄを参照して硬貨収納ボックスの識別情報に対応付けられた回収バッグ２０の識別番号を特定して、特定した回収バッグ２０の識別番号に関連付けられた回収金額精査データ４４ｃの情報に硬貨処理機９０での計数結果及びリジェクトの有無の情報の登録を行う。また、硬貨計数結果受付部４５ｄは、硬貨ＰＣ７０から硬貨収納ボックスの識別情報及びマニュアルで硬貨を計数した結果などの情報を含むマニュアル硬貨計数通知を受け付けたならば、ボックスデータ４４ｄを参照して硬貨収納ボックスの識別情報に対応付けられた回収バッグ２０の識別番号を特定して、特定した回収バッグ２０の識別番号に関連付けられた回収金額精査データ４４ｃの情報にマニュアルで硬貨を計数した結果の登録を行う。
【００７６】
精査処理部４５ｅは、紙幣ＰＣ６０又は硬貨ＰＣ７０からの計数結果の通知を受け付けて回収金額精査データ４４ｃのデータが更新された場合には、回収された紙幣及び硬貨の計数がすべて終了した場合に、回収情報受付部４５ｂによって登録された店舗のスマートフォン１０で入力された売上金の情報と、紙幣ＰＣ６０又は硬貨ＰＣ７０からの計数結果の通知の合計との整合性のチェックを行い、一致する場合には回収金額精査データ４４ｃの当該レコードの状態を精査済であることを示す状態に変更し、一致しない場合には当該レコードの状態を確認が必要であることを示す状態に変更する。
【００７７】
また、精査処理部４５ｅは、回収金額精査データ４４ｃのレコードの確認が必要であることを示す状態になっているレコードの一覧を出力することができる。また、精査処理部４５ｅは、回収バッグ２０の識別番号を含む回収金額精査データ４４ｃの照会要求を受け付けたならば、指定された回収バッグ２０の識別番号に対応する回収金額精査データ４４ｃのレコードの内容を出力することができる。また、回収金額精査データ４４ｃの照会要求に対する出力には、図４（ｃ）に示した画面で撮像された紙幣画像及び紙幣画像に基づいて認識した紙幣の金種別の枚数などの情報を含む。また、精査処理部４５ｅは、回収バッグ２０の識別番号に対する精査の状態の更新要求を受け付けたならば、受け付けた指示に従って指定された回収バッグ２０の識別番号に対する回収金額精査データ４４ｃのレコードの状態の更新を行う。
【００７８】
次に、図６に示した精査センタサーバ４０の記憶部４４のデータの構成を、図７を用いて説明する。
【００７９】
顧客データ４４ａは、顧客を識別する顧客番号とレジ番号などに対応する顧客枝番号とに関連付けて顧客名と枝番識別名などをレコードの保有項目とするデータである。顧客番号及び顧客枝番号の組み合わせは、ユニークな識別情報である。図７の顧客データ４４ａの例は、顧客番号「０１００」の顧客枝番号「０１」に、顧客名「○○書店」と、枝番識別名「１号レジ」が関連付けられているレコードを有していることを示している。
【００８０】
バッグ状態データ４４ｂは、回収バッグ２０の識別番号に関連付けて、バッグ固有番号２６と、回収バッグ２０の状態と、店舗への配布処理を行った日時である配布日時と、配布先の顧客番号及び顧客枝番号と、店舗でスマートフォン１０を用いて売上に係る情報を入力した日時である回収日時と、回収された回収バッグ２０を精査センタで受け付けた日時である受付日時とをレコードの保有項目とするデータである。回収バッグ２０の状態は、コード化されたデータであって、「０」は未配布、「１」は配布済、「２」は回収中、「３」は回収済であることを示す。図７のバッグ状態データ４４ｂの例は、識別番号「０１０２０３」の回収バッグ２０は、バッグ固有番号２６が「１３５７」で、状態が「２」であり回収中で、「２０１４／０４／１０  １０：３０」に顧客番号「０１００」で顧客枝番号「０１」の顧客宛に配布され、店舗においてスマートフォン１０による売上に係る情報の登録が「２０１４／０４／１１  ２２：３０」に行われたことを示すレコードを有していることを示している。
【００８１】
回収金額精査データ４４ｃは、回収バッグ２０の識別番号に関連付けて、回収バッグ２０で回収した紙幣及び硬貨などの精査に係る状態と、店舗においてスマートフォン１０で入力された情報である受信情報と、回収バッグ２０で回収された紙幣、硬貨及び商品券を精査センタで計数した結果である現物情報とを、レコードの保有項目とするデータである。精査に係る状態には精査状態と、紙幣状態と、硬貨状態とを含む。
【００８２】
精査状態は、コード化されたデータであって、「０」は未精査、「１」は店舗においてスマートフォン１０で入力された情報と紙幣ＰＣ６０及び硬貨ＰＣ７０で入力された紙幣、硬貨及び商品券の計数情報が一致したことを示す精査済、「１０」は店舗においてスマートフォン１０で入力された情報と紙幣ＰＣ６０及び硬貨ＰＣ７０で入力された紙幣、硬貨及び商品券の計数情報が一致しなかったことから確認が必要であることを示す確認要、「１１」は確認要に従って確認済であることを示す。
【００８３】
紙幣状態及び硬貨状態は、コード化されたデータであって、「０」は計数が全く行われていないことを示し、「１」は紙幣処理機８０若しくは硬貨処理機９０による計数済みであるがリジェクトがあったことを示し、「２」は紙幣処理機８０若しくは硬貨処理機９０による計数済みでリジェクト分もマニュアルで計数済みであることを示し、「３」は紙幣処理機８０若しくは硬貨処理機９０による計数済みであり、リジェクトがなかったことを示している。
【００８４】
受信情報は、店舗においてスマートフォン１０で入力された現金の金種ごとの金額、商品券の金額、撮像した紙幣の画像データ、及び回収作業を担当した担当者名を含む。
【００８５】
現物情報は、紙幣処理機８０若しくは硬貨処理機９０による計数された機械計数分と、マニュアルで計数されたマニュアル計数分と、真券ではないと判定された非真券分とを含む。機械計数分は、紙幣処理機８０若しくは硬貨処理機９０による計数された現金の金種別の金額を有する。マニュアル計数分はマニュアルで計数された現金の金種別の金額と商品券の金額とを有する。非真券分は真券ではないと判定された現金の金種別の金額と商品券の金額とを有する。
【００８６】
図７の回収金額精査データ４４ｃの例は、回収バッグ２０の識別番号「０１０２０４」に係る精査状態が「１０」で確認が必要で、紙幣状態が「２」で紙幣処理機８０による計数済みでリジェクト分もマニュアルで計数済みであることを示し、硬貨状態が「３」で硬貨処理機９０による計数済みでリジェクトはなく、店舗においてスマートフォン１０で入力された現金の金種ごとの金額は万円券が「２００，０００」円、１円貨が「０」円、商品券が「３５，０００」円、回収作業を担当した担当者名が「山田花子」で、紙幣処理機８０によって万円券が「２００，０００」円、硬貨処理機９０によって１円貨が「０」円、マニュアルでは万円券が「０」円、１円貨が「０」円、商品券が「３４，０００」円で、真券でないと判定された万円券が「０」円、１円貨が「０」円、商品券が「１，０００円」であるレコードを有していることを示している。
【００８７】
ボックスデータ４４ｄは、紙幣収納ボックス又は硬貨収納ボックスの識別情報と、回収バッグ２０の識別番号との対応付けを登録したデータである。図７のボックスデータ４４ｄの例は、紙幣収納ボックス又は硬貨収納ボックスの識別情報「１０３０」と、回収バッグ２０の識別番号「０１０２０３」とが対応付けられたレコードを有していることを示している。尚、一つのバッグ識別番号に対して、複数個のボックス識別情報が関連付けられることが多い。例えば、硬貨収納ボックスの識別情報と紙幣収納ボックスの識別情報が関連付けられたり、更に複数個の紙幣収納ボックスの識別情報が関連付けられたりする。
【００８８】
釣銭オーダーデータ４４ｅは、顧客番号及び顧客枝番号に関連付けて、釣銭オーダーを受け付けた日時と、該釣銭オーダーの状態と、該釣銭オーダーの内容をレコードの保有項目とするデータである。該釣銭オーダーの状態は、コード化されたデータであって、「０」は該釣銭オーダーがまだ処理されていないことを示し、「１」は該釣銭オーダーが処理済みであることを示す。釣銭オーダーの内容は、図４（ａ）で入力された金種別の釣銭の紙幣枚数及び硬貨の棒金の本数を有する。
【００８９】
図７の釣銭オーダーデータ４４ｅの例は、顧客番号「０１００」の顧客枝番号「０１」に対応する顧客から、「２０１４／０４／１１  ２２：３０」に、五千円券「０」枚、千円券「０」枚、５００円貨棒金「１」本、１００円貨棒金「３」本、１円貨棒金「１」本の釣銭のオーダーがあり、状態が「０」でまだ処置が行われていないことを示すレコードを有していることを示している。
【００９０】
次に、図４に示した画面を使用したスマートフォン１０における実施例１に係る売上金額の登録処理の処理手順を説明する。図８は、スマートフォン１０における実施例１に係る売上金額の登録処理の処理手順を示すフローチャートである。
【００９１】
スマートフォン１０は、Ｗｅｂブラウザを使用して中継サーバ３０の提供するページにアクセスすることによって、図４（ａ）に示した売上金回収内容入力画面の表示を行う（ステップＳ１０１）。スマートフォン１０は、売上金回収内容入力画面における入力操作を受け付けて（ステップＳ１０２）、「写真撮像」ボタンの押下を受け付けた場合（ステップＳ１０３；Ｙｅｓ）には、図４（ｃ）に示した画面に遷移する（ステップＳ１１７）。図４（ｃ）に示した画面で「撮像」ボタンが押下されると（ステップＳ１１８；Ｙｅｓ）、スマートフォン１０のカメラで紙幣の画像を撮像する（ステップＳ１１９）。また、「撮像」ボタンの押下されない場合（ステップＳ１１８；Ｎｏ）には、ステップＳ１１９の紙幣画像の撮像処理をスキップする。図４（ｃ）の画面で「戻る」ボタンが押された場合（ステップＳ１２０；Ｙｅｓ）には、ステップＳ１０１に戻る。また、「戻る」ボタンが押されなければ（ステップＳ１２０；Ｎｏ）、ステップＳ１１８に戻る。
【００９２】
図４（ａ）に示した売上金回収内容入力画面で、「明細入力」ボタンの押下を受け付けた場合（ステップＳ１０３；Ｎｏ、ステップＳ１０４；Ｙｅｓ）には、図４（ｂ）に示した回収内容明細入力画面に遷移する（ステップＳ１１２）。回収内容明細入力画面において項目への入力を受け付けたならば（ステップＳ１１３；Ｙｅｓ）、現金の金種別の枚数の入力であった場合には該金種の金額と現金の合計金額を算出して（ステップＳ１１４）、入力内容及びステップＳ１１４で算出した内容に基づいて表示内容の更新を行う（ステップＳ１１５）。回収内容明細入力画面で項目への入力が行われなかった場合（ステップＳ１１３；Ｎｏ）には、ステップＳ１１４、ステップＳ１１５の処理をスキップする。回収内容明細入力画面で、「戻る」ボタンが押下された場合（ステップＳ１１６；Ｙｅｓ）には、ステップＳ１０１に移行する。この場合のステップＳ１０１の回収内容入力画面の表示処理では、回収内容明細入力画面で入力された明細入力に従って現金合計回収金額及び現金以外回収金額が反映される。また、回収内容明細入力画面で、「戻る」ボタンが押下されなかった場合（ステップＳ１１６；Ｎｏ）には、ステップＳ１１３に移行する。
【００９３】
図４（ａ）に示した売上金回収内容入力画面で、項目への入力を受け付けたならば（ステップＳ１０４；Ｎｏ、ステップＳ１０５；Ｙｅｓ）、入力された内容に基づいて売上金回収内容入力画面の項目表示内容の更新をおこなう（ステップＳ１０６）。また、売上金回収内容入力画面で項目への入力を受け付けていない（ステップＳ１０５；Ｎｏ）場合には、ステップ１０６の表示更新処理はスキップされる。
【００９４】
また、売上金回収内容入力画面で「送信」ボタンの押下を受け付けた場合（ステップＳ１０７；Ｙｅｓ）には、図４（ａ）の売上金回収内容入力画面、図４（ｂ）の回収内容明細入力画面で入力した内容及びカメラで撮像した紙幣の画像を含む回収する売上金に係る情報を中継サーバ３０に送信して（ステップＳ１０８）、中継サーバ３０からの応答を受け付ける（ステップＳ１０９）。ステップＳ１０９で受け付けた回収する売上金に係る情報の送信の応答がエラーだった場合（ステップＳ１１０；Ｙｅｓ）には、中継サーバ３０から受け付けたエラーの内容をメッセージとして表示して（ステップＳ１１１）、ステップＳ１０２に戻る。また、ステップＳ１０９で受け付けた回収する売上金に係る情報の送信の応答がエラーではなかった場合（ステップＳ１１０；Ｎｏ）には、処理を終了する。また、売上金回収内容入力画面で「送信」ボタンの押下を受け付けていない場合（ステップＳ１０７；Ｎｏ）には、ステップＳ１０２に戻る。
【００９５】
次に、図３に示した精査センタサーバ４０による、実施例１に係る回収バッグ２０による売上金の回収に伴う精査処理の処理手順を説明する。図９及び図１０は、精査センタサーバ４０による、回収バッグ２０による売上金の回収に伴う精査処理の処理手順を示すフローチャートである。図９では、受付ＰＣ５０で店舗に配布する回収バッグ２０の配布処理を行ったことを示すバッグ配布通知を受け付けた場合、店舗のスマートフォン１０から回収する金額に係る情報を含む回収通知を受け付けた場合、受付ＰＣ５０で店舗から回収された回収バッグ２０を受け付けたことを示すバッグ回収受付通知を受け付けた場合、受付ＰＣ５０からの精査一覧要求を受け付けた場合、及び受付ＰＣ５０からの精査更新要求を受け付けた場合の精査センタサーバ４０が行う処理手順を説明する。
【００９６】
受付ＰＣ５０からの回収バッグ２０の識別番号、顧客番号及び顧客枝番号などを含むバッグ配布通知を受け付けたならば（ステップＳ２０１；Ｙｅｓ）、回収バッグ管理部４５ａは、バッグ状態データ４４ｂを参照して受け付けた識別番号に対応する回収バッグ２０の状態のチェックを行って、状態が未配布を示す「０」であった場合（ステップＳ２０２；Ｙｅｓ）には、バッグ状態データ４４ｂの受け付けた識別番号に対応するレコードの回収バッグ２０の状態を配布済を示す「１」に更新して、同じレコードに配布日時と、バッグ配布通知に含まれる顧客番号及び顧客枝番号とを登録する（ステップＳ２０３）。また、回収バッグ管理部４５ａは、釣銭オーダーデータ４４ｅを参照して、バッグ配布通知に含まれる顧客番号及び顧客枝番号に関連付けられた未処置の釣銭オーダーがある場合には、その旨の表示をおこなう（ステップＳ２０５）。また、バッグ状態データ４４ｂを参照してバッグ配布通知で受け付けた識別番号に対応する回収バッグ２０の状態が未配布を示す「０」でなかった場合（ステップＳ２０２；Ｎｏ）には、単一の回収バッグ２０を重複して配布しようとしていることになる為、回収バッグ管理部４５ａは、エラーメッセージの表示を行って（ステップＳ２０４）、ステップＳ２０６に移行する。
【００９７】
中継サーバ３０を経由して店舗のスマートフォン１０で入力された、回収バッグ２０のバッグ固有番号２６、回収される売上金に係る情報及び釣銭オーダーの情報などを含む回収通知を受け付けたならば（ステップＳ２０１；Ｎｏ、ステップＳ２０６；Ｙｅｓ）には、回収情報受付部４５ｂは、バッグ固有番号２６から回収バッグ２０の識別番号を特定して、特定した識別番号に対応するバッグ状態データ４４ｂのレコードの回収バッグ２０の状態を回収中であることを示す「２」に更新して、回収日時を更新する（ステップＳ２０７）。また、回収情報受付部４５ｂは、回収金額精査データ４４ｃに、回収通知で受け付けた回収される売上金に係る情報を、ステップＳ２０７で特定した回収バッグ２０の識別番号に関連付けて受信情報として登録する（ステップＳ２０８）。また、ステップＳ２０８の回収金額精査データ登録処理では、精査状態には未精査であることを示す「０」、紙幣状態及び硬貨状態には未計数であることを示す「０」に初期化する。また、釣銭オーダーの情報がある場合は、回収情報受付部４５ｂは、釣銭オーダーデータ４４ｅに、回収通知で受け付けた釣銭オーダーの情報を追加登録する（ステップＳ２０９）。
【００９８】
受付ＰＣ５０から回収バッグ２０の識別番号、回収バッグ２０から取り出した紙幣を収納した紙幣収納ボックスの識別情報、及び回収バッグ２０から取り出した硬貨を収納した硬貨収納ボックスの識別情報などを含むバッグ回収受付通知を受け付けたならば（ステップＳ２０６；Ｎｏ、ステップＳ２１０；Ｙｅｓ）、回収バッグ管理部４５ａは、バッグ回収受付通知に含まれる回収バッグ２０の識別番号に対応するバッグ状態データ４４ｂのレコードの状態を回収済であることを示す「３」に更新して、回収バッグ２０の受付日時を登録する（ステップＳ２１１）。また、回収バッグ管理部４５ａは、回収受付通知で受け付けた回収バッグ２０の識別番号、紙幣収納ボックスの識別情報及び硬貨収納ボックスの識別情報に基づいて、回収バッグ２０の識別番号と紙幣収納ボックスの識別情報及び硬貨収納ボックスの識別情報の対応付けをボックスデータ４４ｄに登録する（ステップＳ２１２）。
【００９９】
回収金額精査データ４４ｃの精査状態が確認が必要であることを示す「１０」であるレコードの一覧の照会の要求である精査一覧要求を受け付けたならば（ステップＳ２１０；Ｎｏ、ステップＳ２１３；Ｙｅｓ）、精査処理部４５ｅは、回収金額精査データ４４ｃの精査状態が確認が必要であることを示す「１０」であるレコードの一覧の出力を行う（ステップＳ２１４）。また、回収金額精査データ４４ｃの精査状態が確認要であったレコードに対する確認の終了を示す精査確認終了通知を受け付けた場合（ステップＳ２１３；Ｎｏ、ステップＳ２１５；Ｙｅｓ）には、精査処理部４５ｅは、回収金額精査データ４４ｃの精査状態を、確認が終了したことを示す「１１」に更新して（ステップＳ２１６）、関連するバッグ状態データ４４ｂのレコードのステータスを未配布を示す「０」に初期化して、配布日時以降の情報を初期化して（ステップＳ２１７）、処理を終了する。また、回収金額精査データ４４ｃの精査状態が確認要であったレコードに対する確認の終了を示す精査確認終了通知を受け付けていない場合（ステップＳ２１５；Ｎｏ）にも、処理を終了する。
【０１００】
図１０では、紙幣ＰＣ６０からの紙幣処理機８０で紙幣を計数した結果である紙幣機械計数通知を受け付けた場合、硬貨ＰＣ７０からの硬貨処理機９０で硬貨を計数した結果である硬貨機械計数通知を受け付けた場合、紙幣ＰＣ６０からのマニュアルで紙幣を計数した結果であるマニュアル紙幣計数通知を受け付けた場合、及び硬貨ＰＣ７０からのマニュアルで硬貨を計数した結果であるマニュアル硬貨計数通知を受け付けた場合の精査センタサーバ４０が行う処理手順を説明する。
【０１０１】
紙幣ＰＣ６０から紙幣収納ボックスの識別情報、紙幣処理機８０での計数結果及びリジェクトの有無などの情報を含む紙幣機械計数通知を受け付けたならば（ステップＳ３０１；Ｙｅｓ）、紙幣計数結果受付部４５ｃは、ボックスデータ４４ｄを参照することによって紙幣収納ボックスの識別情報から回収バッグ２０の識別番号を特定して、特定した識別番号に対応する回収金額精査データ４４ｃのレコードの現物情報の機械計数分に通知された紙幣処理機８０での計数結果を登録して（ステップＳ３０２）、紙幣状態に紙幣処理機８０による計数が済であること及びリジェクト有無の情報を登録して（ステップＳ３０３）、ステップＳ３０４に移行する。
【０１０２】
精査処理部４５ｅは、更新した回収金額精査データ４４ｃのレコードの内容を確認して必要に応じて精査状態の更新を行う（ステップＳ３０４）。具体的には、紙幣状態が紙幣処理機８０での計数済で且つマニュアルの計数済を示す「２」、若しくは紙幣処理機８０での計数済でリジェクトが無かったことを示す「３」で、硬貨状態も硬貨処理機９０での計数済で且つマニュアルの計数済を示す「２」、若しくは硬貨処理機９０での計数済でリジェクトが無かったことを示す「３」である場合に、受信情報の金種別の金額と現物情報の機械計数分とマニュアル計数分の合計が一致しているか否かを判定し、一致している場合には精査状態を精査済であることを示す「１」に、一致していない場合には精査状態を確認が必要な旨を示す「１０」に更新する。
【０１０３】
精査処理部４５ｅは、ステップＳ３０４で精査状態が精査済であることを示す「１」に更新された場合（ステップＳ３０５；Ｙｅｓ）には、バッグ状態データ４４ｂの対応するレコードを初期化して（ステップＳ３０６）、処理を終了する。バッグ状態データ４４ｂのレコードの初期化とは、具体的には状態を未配布であることを示す「０」に更新して、配布日時、顧客番号、顧客枝番号、回収日時及び受付日時の情報をクリアする。ステップＳ３０４で精査状態が精査済であることを示す「１」に更新されなかった場合（ステップＳ３０５；Ｎｏ）には、処理を終了する。
【０１０４】
硬貨ＰＣ７０から硬貨収納ボックスの識別情報、硬貨処理機９０での計数結果及びリジェクトの有無などの情報を含む硬貨機械計数通知を受け付けたならば（ステップＳ３０１；Ｎｏ、ステップＳ３０７；Ｙｅｓ）、硬貨計数結果受付部４５ｄは、ボックスデータ４４ｄを参照することによって硬貨収納ボックスの識別情報から回収バッグ２０の識別番号を特定して、特定した識別番号に対応する回収金額精査データ４４ｃのレコードの現物情報の機械計数分に通知された硬貨処理機９０での計数結果を登録して（ステップＳ３０８）、硬貨状態に硬貨処理機９０による計数が済であること及びリジェクト有無の情報を登録して（ステップＳ３０９）、ステップＳ３０４に移行する。
【０１０５】
紙幣ＰＣ６０から紙幣収納ボックスの識別情報、マニュアルでの計数結果及び真券ではないと判断された紙幣の情報を含む紙幣マニュアル計数通知を受け付けたならば（ステップＳ３０７；Ｎｏ、ステップＳ３１０；Ｙｅｓ）、紙幣計数結果受付部４５ｃは、ボックスデータ４４ｄを参照することによって紙幣収納ボックスの識別情報から回収バッグ２０の識別番号を特定して、特定した識別番号に対応する回収金額精査データ４４ｃのレコードの現物情報の、マニュアル計数分に通知されたマニュアルでの計数結果を、非真券分に真券ではないと判断された紙幣の情報を登録して（ステップＳ３１１）、紙幣状態に紙幣処理機８０による計数が済で、マニュアルによる計数も済であることを示す「２」を登録して（ステップＳ３１２）、ステップＳ３０４に移行する。
【０１０６】
硬貨ＰＣ７０から硬貨収納ボックスの識別情報、マニュアルでの計数結果及び真貨ではないと判断された硬貨の情報を含む硬貨マニュアル計数通知を受け付けたならば（ステップＳ３１０；Ｎｏ、ステップＳ３１３；Ｙｅｓ）、硬貨計数結果受付部４５ｄは、ボックスデータ４４ｄを参照することによって硬貨収納ボックスの識別情報から回収バッグ２０の識別番号を特定して、特定した識別番号に対応する回収金額精査データ４４ｃのレコードの現物情報の、マニュアル計数分に通知されたマニュアルでの計数結果を、非真券分に真貨ではないと判断された硬貨の情報を登録して（ステップＳ３１４）、硬貨状態に硬貨処理機９０による計数が済で、マニュアルによる計数も済であることを示す「２」を登録して（ステップＳ３１５）、ステップＳ３０４に移行する。
【０１０７】
上述してきたように、本実施例１では、精査センタサーバ４０は、店舗においてスマートフォン１０を用いて入力した回収対象の売上金額及び回収バッグ２０の識別情報を通信を介して受け付けて、回収バッグ２０の識別情報に関連付けて回収対象の売上金額を記憶し、紙幣処理機８０などで計数した回収された紙幣額を回収バッグ２０の識別情報に関連付けて記憶して、硬貨処理機９０などで計数した回収された硬貨額を回収バッグ２０の識別情報に関連付けて記憶して、回収バッグ２０の識別情報で関連付けられた売上金額と紙幣計数金額と硬貨計数金額との整合性を確認するよう構成したので、店舗から売上金を収集して、収集した売上金額を確認する精査業務の効率化、作業ミスの防止及び低コスト化を実現することができる。また、精査センタでは、回収金に関するデータを先行して受け付けるので、以降に回収されてくる貨幣量の推移を事前に把握でき、効率的に処理できるように処理手順や人員配置の変更を手配することができる。
【実施例２】
【０１０８】
実施例１では、特許文献１で開示されているような貨幣入出金機を導入できないような比較的小規模な店舗を売上金回収のサービスの対象とした場合に、店舗の担当者が手作業で売上金を計数して回収バッグ２０に収めて回収するという例を説明してきた。しかしながら、回収バッグ２０に収める売上金の計数は手作業で行われることから、貨幣入出金機などと比較すると計数結果と実数の間に差異が発生する可能性があり、作業を行う担当者の負担も小さくない。そこで、実施例２では、店舗側で行わなければならない売上金の計数に係る誤りを防止でき、担当者の負荷を軽減することのできる例について説明する。実施例２では、回収バッグ１２０に紙幣を計数する機能を設けて、売上金の現金紙幣のみを回収対象とする場合の例を説明する。
【０１０９】
まず、実施例２に係る売上金の回収に使用する回収バッグ１２０の外観構成を、図１１を用いて説明する。図１１では、図２に示した実施例１に係る回収バッグ２０と同じ構成要素については同じ符号を付与し、実施例１の回収バッグ２０と同じ構成要素についての説明は省略して、異なる構成要素について主に説明するものとする。
【０１１０】
図１１（ａ）の点線の楕円部分に示すように、回収バッグ１２０には、紙幣計数部１２８を有している。紙幣計数部１２８は、図１１（ｂ）に示すように、紙幣を１枚ずつ挿入することができる紙幣挿入口１２８ａと、紙幣挿入口１２８ａに投入した紙幣の合計額の表示を行う液晶表示部１２８ｂと、液晶表示部１２８ｂに表示された合計額の確定を行う確定ボタン１２８ｃとを備えている。
【０１１１】
また、実施例１の回収バッグ２０とはバックル１２１の機能に差異がある。ロック機構は、確定ボタン１２８ｃが押下されるまでは、鍵を使うことなく開放可能となっている。紙幣計数部１２８は、バックル１２１が閉じられている状態でないと動作しないようになっている。また、紙幣計数部１２８で紙幣が計数された後に、バックル１２１が開けられた場合には計数された金額はクリアされるように制御される。つまり、バックル１２１を開けた場合には回収バッグ１２０内に収められた紙幣を全て取り出して、バックル１２１を閉じた上で再度計数する必要がある。尚、確定ボタン１２８ｃが押下されると、鍵を使うことなく開放できなくなるとともに、計数処理が行えなくなる。
【０１１２】
次に、図１１に示した回収バッグ１２０の内部構成を説明する。図１２は、回収バッグ１２０の内部構成を示すブロック図である。図１１に示したように、回収バッグ１２０は紙幣計数部１２８を有しており、紙幣計数部１２８などを制御する制御部１２６、紙幣計数部１２８で計数した結果等を記憶する記憶部１２５、紙幣計数部１２８等に電源供給する電源部１２２及びバッテリ１２３、紙幣計数部１２８に係る制御のトリガとなるバックル１２１、及び紙幣計数部１２８で計数した内容などを外部に送信するための通信部１２４を備えている。通信部１２４は、Ｂｌｕｅｔｏｏｔｈ（登録商標）などの通信規格で受付ＰＣ１５０とデータ通信を行うインタフェース部である。
【０１１３】
記憶部１２５は、ハードディスク装置や不揮発性メモリ等の記憶デバイスであり、紙幣計数部１２８で計数された紙幣の金種別の金額を記憶する計数データ１２５ａと、紙幣計数部１２８における操作履歴やバックル１２１の開閉の履歴が時系列に登録された操作履歴データ１２５ｂとを有する。
【０１１４】
制御部１２６は、回収バッグ１２０の全体を制御する制御部であり、紙幣計数処理部１２６ａ、ロック監視部１２６ｂ及びデータ送信部１２６ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【０１１５】
紙幣計数処理部１２６ａは、紙幣計数部１２８から紙幣挿入口１２８ａから挿入された紙幣の金種の情報を受け付けたならば、計数データ１２５ａの金種別の金額を更新するとともに、受け付けた金種の情報を操作履歴データ１２５ｂに記録する。
【０１１６】
ロック監視部１２６ｂは、バックル１２１の開閉を監視して、開閉の状態が変化したタイミングで変化した内容を操作履歴データ１２５ｂに記録する。紙幣計数処理部１２６ａは、ロック監視部１２６ｂによってバックル１２１が閉じられたことを検知したならば、紙幣計数部１２８を計数可能な状態にする。また、紙幣計数処理部１２６ａは、ロック監視部１２６ｂによってバックル１２１が開けられたことを検知したならば、紙幣計数部１２８の動作を停止するとともに、計数データ１２５ａの内容をクリアする。
【０１１７】
データ送信部１２６ｃは、通信部１２４を通して受付ＰＣ１５０から計数データ要求を受け付けたならば、計数データ１２５ａの内容を受付ＰＣ１５０に返信する。
【０１１８】
次に、図１２に示した回収バッグ１２０の記憶部１２５のデータの構成を、図１３を用いて説明する。
【０１１９】
計数データ１２５ａは、バッグ識別番号と、確定ボタン１２８ｃを押下された確定日時と、紙幣計数部１２８で計数された紙幣の金種別の金額を有する。図１３の計数データ１２５ａの例は、バッグ識別番号が「０１０２０５」で、確定日時が「２０１４／０４／１１  ２２：１５」で、万円券の計数金額が「２３０，０００」円で、五千円券の計数金額が「３５，０００」円で、千円券の計数金額が「０」円であることを示している。
【０１２０】
操作履歴データ１２５ｂは、操作を行った日時と、当該回収バッグの識別番号と、行った操作を示す操作種別と、該操作を受け付けて処理した後の紙幣計数の状況とをレコードの保有項目とするデータである。操作種別は、コード化されたデータであって、「１」は万円券が挿入されたこと、「２」は五千円券が挿入されたこと、「３」は千円券が挿入されたこと、「１１」は確定ボタン１２８ｃが押下されたこと、「２１」はバックル１２１が開かれたこと、「２２」はバックル１２１が閉じられたことを示す。また、紙幣計数の状況は金種別の金額の情報を有する。
【０１２１】
図１３の操作履歴データ１２５ｂの例は、操作を行った日時が「２０１４／０４／１１  ２２：１４」で、回収バッグ１２０の識別番号が「０１０２０５」で、操作種別が万円券の挿入であることを示す「１」で、紙幣計数の状況が１万円券が「２３０，０００」円で、五千円券が「３５，０００」円で、千円券が「０」円であることを示すレコードを含んでいることを示している。
【０１２２】
次に、精査センタに設置される精査センタサーバ１４０の実施例２に係る内部構成を説明する。図１４は、精査センタに設置される精査センタサーバ１４０の実施例２に係る内部構成を示すブロック図である。図１４では、図６に示した実施例１に係る精査センタサーバ４０と同じ構成要素については同じ符号を付与し、実施例１の精査センタサーバ４０と同じ構成要素についての説明は省略して、異なる構成要素について主に説明するものとする。
【０１２３】
記憶部４４に関しては、実施例１に比較すると操作履歴データ１４４ｆが追加になっている。これは、回収バッグ１２０の操作履歴データ１２５ｂを収集したものであり、精査で確認しなければならない事態が発生した時の参考情報である。
【０１２４】
制御部４５に関しては回収情報受付部１４５ｂの処理内容が、実施例１の回収情報受付部４５ｂと差異があり、釣銭オーダー受付部１４５ｆが追加となっている。
【０１２５】
実施例１では、店舗においてスマートフォン１０で入力した内容を中継サーバ３０を経由して受け付けて、売上金に係る情報を回収金額精査データ４４ｃの受信情報に登録していたが、実施例２では回収バッグ１２０が実際に精査センタに回収されてから、受付ＰＣ１５０を経由して、回収バッグ１２０の有する計数データ１２５ａを取得して回収金額精査データ４４ｃの受信情報に登録する。また、実施例１では、回収金額精査データ４４ｃの受信情報を受け付けた時には、バッグ状態データ４４ｂの対応するレコードの状態は「回収中」としていたが、実施例２では「回収済」とする。このように受付ＰＣ１５０も、実施例１の受付ＰＣ５０とは機能差異があり、実施例２の受付ＰＣ１５０は、実施例１の受付ＰＣ５０の機能に加えて、前述の通り回収バッグ１２０の有する計数データ１２５ａを取得して精査センタサーバ１４０に通知する機能が追加される。
【０１２６】
実施例１では釣銭オーダーは、図４（ａ）に示した売上金回収内容入力画面で、入力されたが、売上金の回収金額をスマートフォン１０で入力しないことから、図４（ａ）の下半分の釣銭オーダーの欄以下だけがある釣銭オーダー専用の画面でオーダーを受け付けることとなり、釣銭オーダー受付部１４５ｆが追加となる。釣銭オーダー受付部１４５ｆは、スマートフォン１０の釣銭オーダー専用の画面での入力内容を受け付けて、釣銭オーダーデータ４４ｅに登録する。
【０１２７】
次に、受付ＰＣ１５０における回収バッグ１２０を受け付けたときの実施例２に係る処理の処理手順を説明する。図１５は、受付ＰＣ１５０における回収バッグ１２０を受け付けたときに、回収バッグ１２０の有する計数データ１２５ａ及び操作履歴データ１２５ｂを取得して、精査センタサーバ１４０に送信する処理の処理手順を示すフローチャートである。
【０１２８】
まず、受付ＰＣ１５０は、Ｂｌｕｅｔｏｏｔｈ（登録商標）などの通信によって回収した回収バッグ１２０に計数データ１２５ａ及び操作履歴データ１２５ｂのデータ要求を送信する（ステップＳ４０１）。回収バッグ１２０から計数データ１２５ａを受け付けたならば（ステップＳ４０２；Ｙｅｓ）、受け付けた計数データ１２５ａを精査センタサーバ１４０に送信する（ステップＳ４０３）。また、回収バッグ１２０から計数データ１２５ａを受け付けていない場合（ステップＳ４０２；Ｎｏ）には、ステップＳ４０２に戻ることによって回収バッグ１２０からの計数データ１２５ａの受付の待ち合わせを行う。
【０１２９】
次に、回収バッグ１２０から操作履歴データ１２５ｂを受け付けたならば（ステップＳ４０４；Ｙｅｓ）、受け付けた操作履歴データ１２５ｂを精査センタサーバ１４０に送信して（ステップＳ４０５）、処理を終了する。また、回収バッグ１２０から操作履歴データ１２５ｂを受け付けていない場合（ステップＳ４０４；Ｎｏ）には、ステップＳ４０４に戻ることによって回収バッグ１２０からの操作履歴データ１２５ｂの受付の待ち合わせを行う。
【０１３０】
次に、受付ＰＣ１５０において回収バッグ１２０を受け付けたときの精査センタサーバ１４０の処理の処理手順を説明する。図１６は、受付ＰＣ１５０において回収バッグ１２０を受け付けたときの精査センタサーバ１４０の処理の処理手順を示すフローチャートである。図１６に示すフローチャートは、実施例１の図９のフローチャートのステップＳ２０６からステップＳ２０９に置き換わる部分である。
【０１３１】
受付ＰＣ１５０から回収バッグ１２０から取得した計数データ１２５ａを受け付けた場合（ステップＳ５０１；Ｙｅｓ）には、回収情報受付部１４５ｂは、計数データ１２５ａに含まれる回収バッグ１２０の識別番号に対応するバッグ状態データ４４ｂのレコードの回収日時に計数データ１２５ａに含まれる確定日時を、受付時刻に該計数データ１２５ａを受け付けた日時を登録する（ステップＳ５０２）。また、回収情報受付部１４５ｂは、計数データ１２５ａに含まれる回収バッグ１２０の識別番号に対応する回収金額精査データ４４ｃのレコードに、計数データ１２５ａに含まれる計数情報を受信情報として登録する（ステップＳ５０３）。また、ステップＳ５０３の回収金額精査データ登録処理では、精査状態には未精査であることを示す「０」、紙幣状態及び硬貨状態には未計数であることを示す「０」に初期化する。
【０１３２】
受付ＰＣ１５０から回収バッグ１２０から取得した操作履歴データ１２５ｂを受け付けた場合（ステップ５０１；Ｎｏ、ステップＳ５０４；Ｙｅｓ）には、回収情報受付部１４５ｂは、操作履歴データ１４４ｆから受け付けた操作履歴データ１２５ｂに含まれる回収バッグ１２０の識別番号に対応するレコードを削除して（ステップＳ５０５）、受け付けた操作履歴データ１２５ｂを操作履歴データ１４４ｆに追加して（ステップＳ５０６）、処理を終了する。また、受付ＰＣ１５０から回収バッグ１２０から取得した操作履歴データ１２５ｂを受け付けていない場合（ステップＳ５０４；Ｎｏ）にも、処理を終了する。
【０１３３】
上述してきたように、本実施例２では、店舗において回収バッグ１２０の有する紙幣計数部１２８で紙幣の鑑別及び計数を行って紙幣を内部に収納するとともに計数結果を収納した回収金額として回収バッグ１２０の有する記憶部１２５に記憶させ、精査センタサーバ４０は、回収された回収バッグ１２０の記憶部１２５から回収金額を取得して回収バッグ１２０の識別情報に関連付けて記憶し、紙幣処理機８０などで計数した回収された紙幣額を回収バッグ１２０の識別情報に関連付けて記憶して、硬貨処理機９０などで計数した回収された硬貨額を回収バッグ１２０の識別情報に関連付けて記憶して、回収バッグ１２０の識別情報で関連付けられた回収金額と紙幣計数金額と硬貨計数金額との整合性を確認するよう構成したので、店舗から売上金を収集して、収集した売上金額を確認する精査業務の効率化、作業ミスの防止及び低コスト化を実現することに加え、店舗における売上金の計数に係る作業ミスを防止し、担当者の負荷を軽減することもできる。
【０１３４】
なお、上述の実施例２では、店舗から回収するのを紙幣だけとして説明してきたが、本発明はこれに限定されるものではない。例えば、回収バッグ１２０に、紙幣計数部１２８以外に硬貨や商品券などを収納するその他収納部を設けて、その他収納部に収納して硬貨及び商品券などを回収する場合には実施例１で示した方式のように、その他収納部に収納した金額をスマートフォン１０などで別途登録するようにしてもよい。
【０１３５】
また、上述の実施例２では、回収バッグ１２０の有する紙幣計数部１２８で紙幣を計数した結果は、回収バッグ１２０が精査センタに回収されてから受付ＰＣ１５０を介して精査センタサーバ１４０に通知されるようにしたが、本発明はこれに限定されるものではない。例えば、実施例１で示したスマートフォン１０に対して、回収バッグ１２０から通信部１２４を用いた通信によって紙幣計数部１２８による紙幣の計数結果を引き渡せるようにして、実施例１と同様にしてスマートフォン１０から、中継サーバ３０を経由して精査センタサーバ１４０に回収バッグ１２０で回収する売上金に係る情報及び釣銭オーダーに係る情報を、回収バッグ１２０の回収以前に送信するようにしてもよい。
【実施例３】
【０１３６】
実施例１では、回収する貨幣を計数するための貨幣入出金装置を店舗が導入していないケース、実施例２では、紙幣の計数機能を有する回収バッグ１２０を使用して紙幣については機械で計数できるようにするというケースについて説明してきた。しかしながら、大型の商業施設で導入されるような高価な貨幣入出金装置や紙幣の計数機能を備えた特殊な回収バッグ１２０以外にも、安価で小型の貨幣計数機が流通している。安価な貨幣計数機であっても手作業による計数と比較すると、計数結果の精度も効率も格段によくなる。そこで、実施例３では、そのような安価な貨幣計数機を活用して、精査センタに回収する売上金額の通知業務に係る誤りを抑制しつつ売上金額の通知業務を効率化することができる処理方法について説明する。
【０１３７】
まず、実施例３に係る簡易な貨幣計数装置を導入している店舗における売上金額の精査センタへの通知処理の概要について図１７を用いて説明する。図１７に示す店舗は、紙幣の計数を行うことができるハンディ紙幣計数機２２０と、硬貨の計数を行うことができる小型硬貨計数機２１０を有している。ハンディ紙幣計数機２２０及び小型硬貨計数機２１０は、安価で簡易な貨幣計数装置であり、貨幣の金種の判別及び金種別の枚数を計数して、計数結果をそれぞれが備える表示部に表示する。
【０１３８】
回収作業を担当する担当者は、回収対象の売上金である紙幣及び硬貨をレジから取り出したならば、取り出した紙幣をハンディ紙幣計数機２２０にセットして計数させ、取り出した硬貨を小型硬貨計数機２１０で計数させる。紙幣の計数が終了してハンディ紙幣計数機２２０の表示操作部２２２に紙幣計数結果が表示されたならば、スマートフォン１０が備えるカメラでハンディ紙幣計数機２２０の表示操作部２２２を撮像する。スマートフォン１０は、撮像したハンディ紙幣計数機２２０の表示操作部２２２の画像をＯＣＲして紙幣の計数結果を取得する。同様に、硬貨の計数が終了して小型硬貨計数機２１０の表示操作部２１２に硬貨計数結果が表示されたならば、スマートフォン１０が備えるカメラで小型硬貨計数機２１０の表示操作部２１２を撮像する。スマートフォン１０は、撮像した小型硬貨計数機２１０の表示操作部２１２の画像をＯＣＲして硬貨の計数結果を取得する。
【０１３９】
回収作業を担当する担当者は、計数済みの紙幣及び硬貨を回収バッグ２０に収納して、回収バッグ２０に施錠して、回収バッグ２０のバッグ固有番号をスマートフォン１０に入力して送信指示をすることによって、回収対象の紙幣及び硬貨の金額と回収バッグ２０の識別情報を精査センタの精査センタサーバ４０に送信する。このように、安価ではあるもののハンディ紙幣計数機２２０及び小型硬貨計数機２１０を使用して貨幣の計数を行うことにより計数作業の精度も効率も格段にあげることができる。更に、計数結果をスマートフォン１０に手作業で入力しないことから、手作業による入力ミスを排除することが可能である。また、精査センタサーバ４０には、撮像した表示操作部２２２および表示操作部２１２の画像データも併せて送付するので、ＯＣＲ認識結果に誤りがあったとしても精査センタで送付した画像データを参照することにより補正することが可能となる。
【０１４０】
次に、図１７に示した小型硬貨計数機２１０の外観構成について図１８を用いて説明する。図１８（ａ）は、小型硬貨計数機２１０の全体の外観構成を示す斜視図で、図１８（ｂ）は、小型硬貨計数機２１０の計数結果が表示される表示操作部２１２の詳細な外観構成を示す図である。
【０１４１】
図１８（ａ）に示すように、小型硬貨計数機２１０は、計数する硬貨を投入するための上方に投入口が開放されたホッパ２１１を有する。また、装置の上面には、装置に対する指示操作を受け付けたり、計数結果等の表示を行ったりするための表示操作部２１２を備えている。また、表示操作部２１２の隣には、識別情報シール２１３が貼り付けられている。
【０１４２】
この、識別情報シール２１３にはＱＲコード（登録商標）が印刷されており、該ＱＲコードには小型硬貨計数機２１０の機種に係る情報と、店舗及びレジ等を識別する顧客番号及び顧客枝番号等の情報を含む。スマートフォン１０で表示操作部２１２を撮像する時には併せて識別情報シール２１３を撮像することにより、識別情報シール２１３のＱＲコードを読み取って顧客が使用している貨幣計数機の機種を特定する。スマートフォン１０は、貨幣計数機の機種を特定することによって、貨幣計数機の計数結果が表示される表示部の位置、表示文字の形態を特定する。このように特定された貨幣計数機の計数結果が表示される表示部の位置、表示文字の形態などの情報に基づいて表示操作部２１２に表示される計数結果をＯＣＲ認識するので、多様な機種の貨幣計数機に対応することができる。
【０１４３】
実施例３で示す小型硬貨計数機２１０の表示操作部２１２は、図１８（ｂ）に示すように、計数結果等を表示するための表示部２１２ａと、小型硬貨計数機２１０に対する指示操作を行うための操作部２１２ｂを備えている。また、識別情報シール２１３は、図１８（ｂ）に示すように表示操作部２１２の近傍に貼られており、表示操作部２１２を撮像する際に識別情報シール２１３も含めて一度に撮像できるようにしている。
【０１４４】
また、図１８（ａ）に示すように小型硬貨計数機２１０は、筐体の横に計数された硬貨が排出される硬貨排出口２１４を有し、排出された硬貨はカバー兼カルトン２１５に入るようになる。カバー兼カルトン２１５は、小型硬貨計数機２１０を使用しないときには、小型硬貨計数機２１０のホッパ２１１及び表示操作部２１２を保護するためのカバーとして使用されるものである。
【０１４５】
次に、図１７に示したハンディ紙幣計数機２２０の外観構成について、図１９を用いて説明する。図１９（ａ）は、ハンディ紙幣計数機２２０の全体の外観構成を示す斜視図で、図１９（ｂ）は、ハンディ紙幣計数機２２０の計数結果が表示される表示操作部２２２の詳細な外観構成を示す図である。
【０１４６】
図１９（ａ）に示すように、ハンディ紙幣計数機２２０は、計数する紙幣を投入するための紙幣投入部２２１を有する。また、紙幣投入部２２１の隣には、装置に対する指示操作を受け付けたり、計数結果等の表示を行ったりするための表示操作部２２２を備えている。また、表示操作部２２２の隣には、識別情報シール２２３が貼り付けられている。
【０１４７】
この、識別情報シール２２３は、小型硬貨計数機２１０に貼り付けられていた識別情報シール２１３と同様でハンディ紙幣計数機２２０の機種に係る情報と、店舗及びレジ等を識別する顧客番号及び顧客枝番号等の情報を含むＱＲコードが印刷されている。この識別情報シール２２３の用途は小型硬貨計数機２１０に貼り付けられていた識別情報シール２１３と同様である。また、ハンディ紙幣計数機２２０の表示操作部２２２は、図１９（ｂ）に示すように、計数結果等を表示するための表示部２２２ａと、ハンディ紙幣計数機２２０に対する指示操作を行うための操作部２２２ｂを備えている。
【０１４８】
また、図１９（ａ）に示すように、ハンディ紙幣計数機２２０は、使用中に計数された紙幣を受け止めるカバー兼カルトン２２５を備えている。カバー兼カルトン２２５は、ハンディ紙幣計数機２２０を使用しないときには、紙幣投入部２２１及び表示操作部２２２を覆うカバーとなるように構成されている。
【０１４９】
次に、実施例３に係る店舗から行われる売上金額の登録処理におけるスマートフォン１０の画面構成について図２０を用いて説明する。図２０に示した画面は、図４（ａ）に示した画面と多くの部分が共通であるので、主に図４に示した画面構成との違いがある部分について説明する。
【０１５０】
図２０に示す画面と、図４（ａ）との画面構成上の差異は、図４（ａ）には「写真撮像」ボタンと、「明細入力」ボタンがあったが、図２０には「写真撮像」ボタン及び「明細入力」ボタンが無い代わりに「現金計数結果読取」ボタンが配置されている。実施例３においては、小型硬貨計数機２１０及びハンディ紙幣計数機２２０で計数された結果を、計数結果の表示内容をＯＣＲにより読み取ることによって現金の回収金額を自動算出するとともに、ＯＣＲに使用した画像データも送信するので実施例１で行ったような写真撮像は不要となり「写真撮像」ボタンは配置されていない。また、回収する貨幣の金種別の枚数は必須ではなく回収する貨幣の合計金額が分かればよいので、実施例３では、貨幣の金種別の枚数の情報は不要としてＯＣＲにより取得する回収する紙幣の合計額と、回収する硬貨の合計額とから算出される貨幣の合計額を画面上の現金合計金額欄に表示するものとした。これに、図４（ｂ）に示したような明細入力画面は不要となり、「明細入力」ボタンも配置されていない。
【０１５１】
図２０のスマートフォン１０の画面構成に示すように、実施例３では、「現金計数結果読取」ボタンが配置され、「現金計数結果読取」ボタンが押下されると内蔵するカメラで撮像するための撮像用の画面に切り替わる。当該撮像用の画面において、撮像操作を行うことによって、小型硬貨計数機２１０又はハンディ紙幣計数機２２０で計数された結果が表示される表示操作部２１２又は表示操作部２２２および識別情報シール２１３又は識別情報シール２２３を撮像する。このようにして貨幣が計数された結果が表示される表示操作部２１２又は表示操作部２２２が撮像されると、撮像された画像からＯＣＲにより読み取った紙幣計数結果又は硬貨計数結果は合算されて、図２０に示す現金合計金額に自動的に反映される。
【０１５２】
回収作業を担当する担当者は、現金以外に商品券等の回収する有価媒体が有る場合には、図２０の現金以外合計金額欄に直接金額の入力を行う。また、回収作業を担当する担当者により、釣銭オーダー及びバッグ固有番号の入力が行われると、入力された内容を対応する画面上の項目に表示する。また、画面の最下部に配置される「送信」ボタンが押下されたならば、スマートフォン１０は、画面に表示されている内容に加えて、ＱＲコードから読み取った店舗及びレジ等を識別する顧客番号及び顧客枝番号等の情報と、小型硬貨計数機２１０の表示操作部２１２の画像と、ハンディ紙幣計数機２２０の表示操作部２２２の画像とを中継サーバ３０を経由して精査センタの精査センタサーバ４０に送信する。
【０１５３】
次に、図２０に示した画面を使用したスマートフォン１０における実施例３に係る売上金額の登録処理の処理手順について図２１に示したフローチャートを用いて説明する。
【０１５４】
スマートフォン１０で所定のアプリケーションを起動することにより、図２０に示した売上金回収内容入力画面の表示を行い（ステップＳ６０１）、当該画面に対する入力操作を受け付ける（ステップＳ６０２）。売上金回収内容入力画面に配置される「現金計数結果読取」ボタンの押下を受け付けたならは（ステップＳ６０３；Ｙｅｓ）、当該アプリケーションは、カメラを起動して画像の撮像処理を行う（ステップＳ６０４）。具体的には、当該アプリケーションは、カメラを起動して、カメラによって取られた画像を表示して、画面上のシャッタボタンの操作により画像を取得する。
【０１５５】
また、当該アプリケーションは、取得した画像からＱＲコードを特定し、ＱＲコードを読み取ることによって貨幣計数機の機種情報を取得する（ステップＳ６０５）。また、ＱＲコードからは、店舗及びレジ等を識別する顧客番号及び顧客枝番号等の情報も併せて取得する。当該アプリケーションは、ステップＳ６０５で取得した貨幣計数機の機種情報に基づいて、機種に応じた表示部の位置や表示形態に応じたＯＣＲ処理を行うことによって、撮像した画像に含まれる貨幣の計数結果を取得して、画面の現金合計金額に加算して反映し（ステップＳ６０６）、ステップＳ６０２に戻る。
【０１５６】
ステップＳ６０２において現金以外合計金額の入力項目や、釣銭オーダーに係る入力項目や、バック固有番号に係る入力項目の選択を受け付けて（ステップＳ６０３；Ｎｏ、ステップＳ６０７；Ｙｅｓ）、ステップＳ６０４からステップＳ６０６の一連の処理により小型硬貨計数機２１０による硬貨計数結果又はハンディ紙幣計数機２２０による紙幣計数結果のいずれかがまだ取得済みとなっていない場合（ステップＳ６０８；Ｎｏ）には、当該アプリケーションは、紙幣又は硬貨の計数結果が取り込まれていない旨の注意メッセージの表示を行う（ステップＳ６０９）。また、ステップＳ６０４からステップＳ６０６の一連の処理により小型硬貨計数機２１０による硬貨計数結果及びハンディ紙幣計数機２２０による紙幣計数結果のいずれも取得済みとなっている場合（ステップＳ６０８；Ｙｅｓ）には、ステップＳ６１１に移行する。
【０１５７】
ステップＳ６０９で表示した注意メッセージに対して、回収対象の紙幣又は硬貨が無いことから必要な貨幣の計数結果の取得処理は終了している旨の操作を受け付けた場合（ステップＳ６１０；Ｙｅｓ）には、当該アプリケーションは、選択された入力項目に対する入力操作を受け付けて（ステップＳ６１１）、受け付けた内容に基づいて対応する項目の表示内容の更新を行って（ステップＳ６１２）、ステップＳ６０２に戻る。また、ステップＳ６０９で表示した注意メッセージに対して、回収対象の紙幣又は硬貨の取得処理を行う旨の操作を受け付けた場合（ステップＳ６１０；Ｎｏ）には、ステップＳ６０２に戻る。
【０１５８】
ステップＳ６０２において、「送信」ボタンの操作を受け付けた場合（ステップＳ６０７；Ｎｏ、ステップＳ６１３；Ｙｅｓ）には、当該アプリケーションは、画面に表示されている内容に加えて、ステップＳ６０５においてＱＲコードから読み取った店舗及びレジ等を識別する顧客番号及び顧客枝番号等の情報と、ステップＳ６０４で撮像した画像とを中継サーバ３０を経由して精査センタの精査センタサーバ４０に送信して（ステップＳ６１４）、処理を終了する。また、ステップＳ６０２において、「送信」ボタンの操作も受け付けていない場合（ステップＳ６１３；Ｎｏ）には、ステップＳ６０２に戻る。
【０１５９】
上述してきたように、本実施例３では、安価な貨幣計数機を導入している店舗において、貨幣計数機の表示部に表示される計数結果をカメラで撮像し、撮像した画像から計数結果をＯＣＲにより読み取り、読み取った計数結果に基づいて回収される現金の金額を自動計算するように構成したので、小規模な店舗であっても精査センタに回収する売上金額の通知業務に係る誤りを抑制するとともに売上金額の通知業務を効率化することができる。
【０１６０】
なお、上述の実施例３では、貨幣計数機の計数結果が表示される表示部の近傍にＱＲコードが印刷された識別情報シール２１３、２２３を貼り付けるものとしたが、本発明はこれに限定されるものではなく、例えば、貨幣計数機の機種情報等の内容を含むバーコードや、ＩＣタグであってもよい。その場合には、貨幣計数機の機種情報は、添付されたバーコードやＩＣタグから取得することになる。また、店舗の店員が、自分のスマートフォン１０で図２０に示したような画面を表示して売上金額の通知に係る処理を行う場合で、店舗には１種類の貨幣計数機しか存在しない場合には、識別情報シール２１３、２２３を貼り付けずに、スマートフォンで使用するアプリケーションに、ＱＲコードに含まれている情報を設定情報として保有させるようにしてもよい。また、複数の機種が有る場合についても、例えば複数の機種に対応する情報を設定情報として当該アプリケーションが保有できるようにして、カメラで画像撮像時に撮像した貨幣計数機の機種を選択できるようにしてもよい。
【０１６１】
また、上述の実施例３では、小型硬貨計数機２１０及びハンディ紙幣計数機２２０の両方を使用する例を説明したが、本発明はこれに限定されるものではない。紙幣計数機及び硬貨計数機の機種を限定しないだけではなく、紙幣計数機及び硬貨計数機のいずれか一方だけを使用するようにしてもよい。例えば、ハンディ紙幣計数機２２０だけを使用する場合には、硬貨の計数については手作業で行い、図４（ｂ）の画面の少なくとも硬貨部分の入力が行えるような画面を設けて、当該画面で入力された硬貨回収金額と紙幣計数機の表示部からＯＣＲにより読み取った紙幣回収金額とを合計して現金合計金額に反映するようにしてもよい。
【０１６２】
また、上述の実施例３では、小型硬貨計数機２１０及びハンディ紙幣計数機２２０の計数結果が表示されているそれぞれの装置が備える表示部２１２ａ、２２２ａを撮像し、取得した画像データに基づいて計数結果をＯＣＲにより取得するものとしたが、本発明はこれに限定されるものではない。例えば、計数結果がレシートなどに印刷して出力される場合には、出力されたレシートを識別情報シール２１３、２２３と共に撮像して、レシートに印刷された文字をＯＣＲして計数結果を取得するようにしてもよい。
【０１６３】
また、上述の実施例１、実施例２及び実施例３では、回収バッグ２０、１２０の識別を回収バッグ２０、１２０に貼付したバーコードで行うようにしたが、本発明はこれに限定されるものではない。例えば、バーコードの代わりにＩＣタグを取り付けて当該ＩＣタグを読み込むことによって識別を行うようにしてもよい。
【０１６４】
また、上述の実施例１、実施例２及び実施例３では、店舗からスマートフォン１０を使用して回収する売上に係る情報や釣銭オーダーの情報を精査センタサーバ４０、１４０に送信する場合に、中継センタの中継サーバ３０を経由して送信するようにしたが、本発明はこれに限定されるものではない。例えば、実施例１又は実施例２で示した中継サーバ３０のスマートフォン１０からアクセスするページに係る機能を精査センタサーバ４０、１４０に持たせることによって、店舗のスマートフォン１０から直接精査センタサーバ４０、１４０にアクセスできるようにしてもよい。
【０１６５】
また、上述の実施例１、実施例２及び実施例３では、スマートフォン１０、受付ＰＣ５０、１５０、紙幣ＰＣ６０及び、硬貨ＰＣ７０で行う操作にかかる処理はＷｅｂアプリケーションであることとして説明してきたが、本発明はこれに限定されるものではない。例えば、スマートフォン１０、受付ＰＣ５０、１５０、紙幣ＰＣ６０及び、硬貨ＰＣ７０上に動作するアプリケーションを作成して、中継サーバ３０や精査センタサーバ４０、１４０上のサーバアプリケーションと通信するような構成であってもよい。
【０１６６】
また、上述の実施例１、実施例２及び実施例３では、スマートフォン１０を用いて店舗から精査センタサーバ４０に、回収元の店舗やレジを特定するための顧客番号及び顧客枝番号と、回収バッグ２０、１２０を特定するバッグ固有情報と、現金及び現金以外の有価媒体の回収金額と、釣銭オーダーとを送信する旨の説明をしてきたが、送信内容についてはこれに限定されるものではない。例えば、不正防止などのセキュリティの強化を目的として、スマートフォン１０の識別情報や、スマートフォン１０が取得することのできるＧＰＳなどの位置情報を併せて送信するようにしてもよい。
【０１６７】
また、上述の実施例１、実施例２及び実施例３で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１６８】
以上のように、本発明に係る貨幣収集システム及び貨幣収集方法は、店舗から売上金を収集して、収集した売上金額を確認する精査業務の効率化、作業ミスの防止及び低コスト化を実現することに適している。
【符号の説明】
【０１６９】
１０  スマートフォン
１１、２１２、２２２  表示操作部
２０、２０ａ、１２０  回収バッグ
２１、１２１  バックル
２２  ロックレバー
２３  鍵穴
２４  バッグ識別バーコード
２５  ポケット部
２６  バッグ固有番号
２７  店舗名表示シート
２７ａ  店舗識別バーコード
３０  中継サーバ
３１、４１  入力部
３２、４２、２１２ａ、２２２ａ  表示部
３３、４３、１２４  通信部
３４、４４、１２５  記憶部
３４ａ  回収履歴データ
３５、４５、１２６  制御部
３５ａ  回収情報管理部
３５ｂ  回収履歴照会部
３５ｃ  紙幣認識処理部
４０、４０ａ、１４０  精査センタサーバ
４４ａ  顧客データ
４４ｂ  バッグ状態データ
４４ｃ  回収金額精査データ
４４ｄ  ボックスデータ
４４ｅ  釣銭オーダーデータ
４５ａ  回収バッグ管理部
４５ｂ、１４５ｂ  回収情報受付部
４５ｃ  紙幣計数結果受付部
４５ｄ  硬貨計数結果受付部
４５ｅ  精査処理部
５０、５０ａ、１５０  受付ＰＣ
５１、６１、７１  バーコードリーダ
６０  紙幣ＰＣ
７０  硬貨ＰＣ
８０  紙幣処理機
９０  硬貨処理機
１２２  電源部
１２３  バッテリ
１２５ａ  計数データ
１２５ｂ、１４４ｆ  操作履歴データ
１２６ａ  紙幣計数処理部
１２６ｂ  ロック監視部
１２６ｃ  データ送信部
１２８  紙幣計数部
１２８ａ  紙幣挿入口
１２８ｂ  液晶表示部
１２８ｃ  確定ボタン
１４５ｆ  釣銭オーダー受付部
２１０  小型硬貨計数機
２１１  ホッパ
２１２ｂ、２２２ｂ  操作部
２１３、２２３  識別情報シール
２１４  硬貨排出口
２１５、２２５  カバー兼カルトン
２２０  ハンディ紙幣計数機
２２１  紙幣投入部
【図１】
0006587816.tif 000002
【図２】
0006587816.tif 000003
【図３】
0006587816.tif 000004
【図４】
0006587816.tif 000005
【図５】
0006587816.tif 000006
【図６】
0006587816.tif 000007
【図７】
0006587816.tif 000008
【図８】
0006587816.tif 000009
【図９】
0006587816.tif 000010
【図１０】
0006587816.tif 000011
【図１１】
0006587816.tif 000012
【図１２】
0006587816.tif 000013
【図１３】
0006587816.tif 000014
【図１４】
0006587816.tif 000015
【図１５】
0006587816.tif 000016
【図１６】
0006587816.tif 000017
【図１７】
0006587816.tif 000018
【図１８】
0006587816.tif 000019
【図１９】
0006587816.tif 000020
【図２０】
0006587816.tif 000021
【図２１】
0006587816.tif 000022